(57)【要約】【課題】制御基板に対する不正器具等の進入を防止でき、かつ、基板側コネクタからの配線側コネクタの抜脱を防止することができる基板収納ケースを提供すること。【解決手段】他の基板から延出された配線２９１ｂに設けられた配線側コネクタ２９０ｂが接続される基板側コネクタ２３８ｂ及び電子部品が実装される実装面３１ａを有する制御基板３１を収納する基板収納ケース２００は、ケース本体２０１とケースカバー２０２とから構成されるとともに、基板側コネクタ２２８ｂに接続された配線側コネクタ２９０ｂの抜脱を該配線側コネクタ２９０ｂとの当接により規制する当接規制部５００ａを有するコネクタ規制部材５００と、ケースの封止状態においてコネクタ規制部材５００をケースカバー２０２から離脱不能に保持する規制部材保持手段５００ｂ，５００ｃと、を備え、前記封止状態において該規制部材保持手段がケース本体２０１及びケースカバー２０２により被覆されるようになっている。【選択図】図１２
2008154827.tif 000002
【特許請求の範囲】
【請求項１】
ケース本体とケースカバーとからなり、遊技機における遊技の制御を行う遊技制御手段を有する制御基板を封止状態で内部に収納可能な基板収納ケースであって、
前記制御基板は、該制御基板とは異なる他の基板から延出された配線に設けられた配線側コネクタが接続される基板側コネクタ及び電子部品が実装される実装面を有し、
前記ケースカバーは、前記実装面を被覆するように前記制御基板を取り付け可能に形成された基板取付部と、前記基板取付部に取り付けられた前記制御基板における前記基板側コネクタに対応する箇所に形成され、該基板側コネクタにおける少なくとも前記配線側コネクタとの接続部をケース外部に開放可能とするコネクタ用開口と、を有し、
前記基板側コネクタに接続された配線側コネクタの抜脱を該配線側コネクタとの当接により規制する当接規制部を有するコネクタ規制部材と、
前記封止状態において前記コネクタ規制部材を前記ケースカバーから離脱不能に保持する規制部材保持手段と、
を備え、
前記規制部材保持手段の少なくとも一部は、前記封止状態において前記ケース本体及び前記ケースカバーにより被覆される、
ことを特徴とする基板収納ケース。
【請求項２】
前記制御基板の実装面には、前記基板側コネクタが複数実装されており、
前記当接規制部は、前記複数の基板側コネクタそれぞれに対応して複数設けられている、
ことを特徴とする請求項１に記載の基板収納ケース。
【請求項３】
前記コネクタ規制部材は、
前記配線側コネクタを被覆可能な被覆面と、
前記被覆面に形成され、前記配線側コネクタから延出される配線を外方に向けて挿通可能、かつ前記配線側コネクタを挿通不可能な大きさに形成される配線挿通口と、
前記被覆面の端部から前記配線挿通口内に前記配線を挿通可能とするスリットと、
を有し、
前記当接規制部は、前記被覆面における前記配線挿通口の周縁部にて構成されている、
ことを特徴とする請求項１または２に記載の基板収納ケース。
【請求項４】
前記規制部材保持手段は、前記封止状態において前記ケース本体と前記ケースカバーとの間に形成される間隙部に差し込まれて配置される差込片部と、前記実装面の裏面に配置される係止部と、により構成されている、
ことを特徴とする請求項１〜３のいずれかに記載の基板収納ケース。
【請求項５】
前記規制部材保持手段は、前記ケースカバーに形成された係止穴に係止可能な係止爪が形成されている、
ことを特徴とする請求項４に記載の基板収納ケース。
【請求項６】
前記ケースカバーの被覆面は、前記実装面に近接もしくは当接する位置に設けられる第１の被覆面と、該第１の被覆面よりも前記実装面から離間した位置に設けられる第２の被覆面と、前記第１の被覆面と前記第２の被覆面とを連設する第３の被覆面と、を含み、
前記第１の被覆面には前記コネクタ用開口が形成されているとともに、
前記第３の被覆面には前記係止穴が形成されている、
ことを特徴とする請求項５に記載の基板収納ケース。
【請求項７】
前記コネクタ規制部材における少なくとも一部は、透光性を有する部材にて構成されている、
ことを特徴とする請求項１〜６のいずれかに記載の基板収納ケース。
【請求項８】
前記ケースカバーの側縁より外方に向けて突設された連接部を介して設けられる第１被固着部と、
前記ケース本体の側縁に、前記第１被固着部に対応して設けられる第２被固着部と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材と、
を備え、
前記ケースカバーは、前記第１被固着部が設けられた側縁とは逆の側縁を中心として前記ケース本体に対して回動自在に設けられている、
ことを特徴とする請求項１〜７のいずれかに記載の基板収納ケース。
【請求項９】
前記ケースカバーの側縁より外方に向けて突設された連接部を介して設けられる複数の第１被固着部と、
前記ケース本体の側縁に、前記複数の第１被固着部それぞれに対応して設けられる複数の第２被固着部と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材と、
前記制御基板の封止状態を解除した後、再度前記制御基板の封止状態を実現する際に使用する予備用固着部材と、
を備え、
前記ケース本体の内部には、前記予備用固着部材を収納可能な収納口を有する予備用固着部材収納部が設けられているとともに、前記ケースカバーの内面所定箇所には、前記制御基板の封止状態において前記予備用固着部材収納部からの前記予備用固着部材の逸脱を当接規制する固着部材規制部が、前記予備用固着部材収納部の収納口に向けて延設されている、
ことを特徴とする請求項１〜８のいずれかに記載の基板収納ケース。
【発明の詳細な説明】
【技術分野】
【０００１】
本発明は、ケース本体とケースカバーとからなり、遊技機に設けられる制御基板を封止状態で内部に収納可能な基板収納ケースに係わり、特に該制御基板に実装される基板側コネクタに接続される配線側コネクタの抜脱を規制するコネクタ規制部材を備える基板収納ケースに関する。
【背景技術】
【０００２】
従来、パチンコ機やスロットマシン等の遊技機には、遊技の制御を行う遊技制御基板等、多数の制御基板が設けられており、これら制御基板には、ＣＰＵ、ＲＡＭ、ＲＯＭ等の電子素子が多数実装されている。遊技動作を制御するプログラムは、遊技制御基板に実装されたＲＯＭに格納されており、該ＲＯＭを交換することにより遊技内容を容易に変更できるため、この種の遊技制御基板は、通常、ケース本体とケースカバーとからなる基板収納ケース内に収納した状態で遊技機に設けられる。特にこの基板収納ケースは、ケースカバーを開放した際にはその痕跡が残るように、制御基板を収納した状態でケース本体とケースカバーとを封止できるようになっており、これによりケースカバーの開放を防止してＲＯＭの交換等の不正行為を抑制している。
【０００３】
一方、このような制御基板には、ハーネス側コネクタが接続される基板側コネクタが設けられているが、このような基板側コネクタからハーネス側コネクタを容易に抜脱できるようになっていると、正規な部品が接続されたハーネスを抜いて、正規以外の不正部品が接続されたハーネスが接続される虞がある。このように不正なハーネス交換が行われると、遊技機の出球率が不正な値に変更される等の不正行為が行われ、公正な遊技の提供ができなくなる虞があるという問題があった。
【０００４】
そこで、基板側コネクタからのハーネス側コネクタの抜脱を防止するコネクタ抜脱防止装置として、基板収納ケースを構成するケースカバーの内部を延びて該ケースカバーの両側面に形成された孔部から延出する支持本体部と、該支持本体部の両端から延設されてケース本体の後面に係止可能な係止部と、からなり、該係止部に、ハーネス側コネクタの両側に当接するとともに、該ハーネスを内側に挿通可能とした移動規制部材を設けたもの等がある（例えば、特許文献１参照）。
【０００５】
【特許文献１】特開２００６−１８１０３１号公報（第６−７頁、第３−５図）
【発明の開示】
【発明が解決しようとする課題】
【０００６】
しかしながら、上記特許文献１に記載のコネクタ抜脱防止装置にあっては、前記支持本体部がケースカバーの内部を挿通するように設けられるものであることで、基板側コネクタに接続したハーネス側コネクタのハーネスだけでなく、支持本体部をケース内部から外部に向けて挿通させる必要があるため、ケースカバーの側面に形成する孔部を大きくする必要があった。
【０００７】
また、例えば基板側コネクタが、ハーネス側コネクタとの接続口がケースカバーの上面側を向いた状態で制御基板に実装されている場合にあっては、ケースカバーの側面に支持本体を挿通させる孔部を形成するとともに、この孔部とは別個に、ハーネス側コネクタのハーネスを挿通させるためのハーネス挿通用の孔部を形成する必要がある。さらに、このコネクタ抜脱防止装置は、ケース本体とケースカバーとを封止する前の段階で、基板側コネクタにハーネス側コネクタを接続した状態で装着するものであり、前記ハーネス挿通用の孔部にハーネスを挿通させておく必要があるため、このハーネス挿通用の孔部は、基板側コネクタに接続する一方のハーネス側コネクタと反対側の他方のハーネス側コネクタを挿通可能な大きさに形成するか、あるいはハーネスをケースカバーの側面端部から挿通させるためのスリット等を連設しなければならない。
【０００８】
このようにケースカバーに形成する孔部やスリット等が大きくなると、ケース外部からケース内部に不正器具等を進入させやすくなるため、制御基板に搭載された電子素子に不正な改造等が施される可能性が高まるという問題があった。
【０００９】
本発明は、このような問題点に着目してなされたものであり、制御基板に対する不正器具等の進入を防止でき、かつ、基板側コネクタからの配線側コネクタの抜脱を防止することができる基板収納ケースを提供することを目的とする。
【課題を解決するための手段】
【００１０】
上記課題を解決するために、本発明の請求項１に記載の基板収納ケースは、
ケース本体（２０１）とケースカバー（２０２）とからなり、遊技機（パチンコ機１）における遊技の制御を行う遊技制御手段（遊技制御用マイクロコンピュータ５６０）を有する制御基板（遊技制御基板３１）を封止状態で内部に収納可能な基板収納ケース（２００）であって、
前記制御基板は、該制御基板とは異なる他の基板から延出された配線（２９１ａ〜２９１ｃ）に設けられた配線側コネクタ（２９０ａ〜２９０ｃ）が接続される基板側コネクタ（２３８ａ〜２３８ｃ）及び電子部品（ＣＰＵ，ＲＡＭ，ＲＯＭや回路等）が実装される実装面（３１ａ）を有し、
前記ケースカバーは、前記実装面を被覆するように前記制御基板を取り付け可能に形成された基板取付部（取付用支柱２４０，ネジ孔２４０ａ，位置決め用凸部２４１）と、前記基板取付部に取り付けられた前記制御基板における前記基板側コネクタに対応する箇所に形成され、該基板側コネクタにおける少なくとも前記配線側コネクタとの接続部（接続口２３８ｄ）をケース外部に開放可能とするコネクタ用開口（２３６ａ〜２３６ｃ）と、を有し、
前記基板側コネクタに接続された配線側コネクタの抜脱を該配線側コネクタとの当接により規制する当接規制部（上板５００ａ，５２０ａ，５５０ａ）を有するコネクタ規制部材（５００，５２０，５５０）と、
前記封止状態において前記コネクタ規制部材を前記ケースカバーから離脱不能に保持する規制部材保持手段（垂直板５００ｂ，下板５００ｃ，固定ネジ５２２，５５２，ネジ孔５２３，５５１，係止爪５０１，係止穴５０２）と、
を備え、
前記規制部材保持手段の少なくとも一部は、前記封止状態において前記ケース本体（側壁２０５）及び前記ケースカバーにより被覆される、
ことを特徴としている。
この特徴によれば、制御基板をケースカバーの基板取付部に取り付けることにより、基板側コネクタがコネクタ用開口を介して外部に開放されるとともに、該開放された基板側コネクタに配線側コネクタを接続した状態で、ケースカバーの外側にコネクタ規制部材を配置して規制部材保持手段により保持することで、配線側コネクタの抜脱が当接規制部により規制される。このように、ケースカバーに基板側コネクタに接続された配線側コネクタと反対側の配線側コネクタを挿通するための大きな挿通口等を形成しなくても、ケースカバーの外側にコネクタ規制部材を装着することができるため、コネクタ規制部材の強度低下が防止される。また、規制部材保持手段は、封止状態とされたケース本体及びケースカバーにより被覆されることで、封止状態を解除するかコネクタ規制部材またはケースの一部を破壊しない限り保持状態を解除することができなくなり、封止状態を解除したりケースを破壊するなどして配線側コネクタを抜脱した際にはその痕跡が残り、不正が行われた可能性があることを確実に発見することができるようになるとともに、規制部材保持手段として特殊な保持部材等を用いたり、保持構造を複雑化することなく、基板側コネクタに正規以外の不正部品が接続された配線が接続されることを効果的に防止できる。
【００１１】
本発明の請求項２に記載の基板収納ケースは、請求項１に記載の基板収納ケースであって、
前記制御基板（遊技制御基板３１）の実装面（３１ａ）には、前記基板側コネクタ（２３８ａ〜２３８ｃ）が複数実装されており、
前記当接規制部（上板５００ａ，５２０ａ，５５０ａ）は、前記複数の基板側コネクタそれぞれに対応して複数設けられている、
ことを特徴としている。
この特徴によれば、複数の配線側コネクタそれぞれに対応する複数の当接規制部を個別に形成する必要がないとともに、複数の配線側コネクタをまとめて当接規制することができるため、保持作業の手間が軽減される。
【００１２】
本発明の請求項３に記載の基板収納ケースは、請求項１または２に記載の基板収納ケースであって、
前記コネクタ規制部材（５００，５２０，５５０）は、
前記配線側コネクタ（２９０ａ〜２９０ｃ）を被覆可能な被覆面（上板５００ａ，５２０ａ，５５０ａ）と、
前記被覆面に形成され、前記配線側コネクタから延出される配線を外方に向けて挿通可能、かつ前記配線側コネクタを挿通不可能な大きさに形成される配線挿通口（配線挿通用開口５０３ａ〜５０３ｃ）と、
前記被覆面の端部から前記配線挿通口内に前記配線を挿通可能とするスリット（配線挿通用スリット５０４ａ〜５０４ｃ）と、
を有し、
前記当接規制部は、前記被覆面における前記配線挿通口の周縁部にて構成されている、
ことを特徴としている。
この特徴によれば、配線側コネクタが被覆されることで、基板側コネクタと配線側コネクタとの接続部に対する不正行為が困難となるとともに、コネクタ規制部材に配線側コネクタを挿通するための大きな挿通口を形成する必要がないので、不正行為を効果的に防止することができる。
【００１３】
本発明の請求項４に記載の基板収納ケースは、請求項１〜３のいずれかに記載の基板収納ケースであって、
前記規制部材保持手段は、前記封止状態において前記ケース本体（２０１）と前記ケースカバー（２０２）との間に形成される間隙部（５０５）に差し込まれて配置される差込片部（垂直板５００ｂ）と、前記実装面（３１ａ）の裏面（３１ｂ）に配置される係止部（下板５００ｃ）と、により構成されている、
ことを特徴としている。
この特徴によれば、ネジ等の保持部材を使用することなく、差込片部を間隙部に差し込んだ状態で封止状態とするだけで、係止部の係止作用により差込片部が抜脱不能に保持されるため、保持作業が容易になる。
【００１４】
本発明の請求項５に記載の基板収納ケースは、請求項４に記載の基板収納ケースであって、
前記規制部材保持手段（垂直板５００ｂ，下板５００ｃ，固定ネジ５２２，５５２，ネジ孔５２３，５５１，係止爪５０１，係止穴５０２）は、前記ケースカバー（２０２）に形成された係止穴（５０２）に係止可能な係止爪（５０１）が形成されている、
ことを特徴としている。
この特徴によれば、係止爪がケースカバーの係止穴に係止されることで、コネクタ規制部材が変形や破損しにくくなるので、抜脱を確実に防止することができる。
【００１５】
本発明の請求項６に記載の基板収納ケースは、請求項５に記載の基板収納ケースであって、
前記ケースカバー（２０２）の被覆面（上板２２０）は、前記実装面（３１ａ）に近接もしくは当接する位置に設けられる第１の被覆面（低被覆面部２２０ａ）と、該第１の被覆面よりも前記実装面から離間した位置に設けられる第２の被覆面（高被覆面部２２０ｂ）と、前記第１の被覆面と前記第２の被覆面とを連設する第３の被覆面（傾斜被覆面部２２０ｃ）と、を含み、
前記第１の被覆面には前記コネクタ用開口（２３６ａ〜２３６ｃ）が形成されているとともに、
前記第３の被覆面には前記係止穴（５０２）が形成されている、
ことを特徴としている。
この特徴によれば、コネクタ用開口近傍が第１の被覆面により被覆されることで、コネクタ用開口と基板側コネクタとの間に形成される隙間から不正器具等を挿入しにくくなるので、制御基板に対する不正行為を防止することができる。
【００１６】
本発明の請求項７に記載の基板収納ケースは、請求項１〜６のいずれかに記載の基板収納ケースであって、
前記コネクタ規制部材（５００）における少なくとも一部は、透光性を有する部材（透明な合成樹脂材）にて構成されている、
ことを特徴としている。
この特徴によれば、基板収納ケース内の視認性がコネクタ規制部材により損なわれることがないので、制御基板の監視に支障をきたすことがない。
【００１７】
本発明の請求項８に記載の基板収納ケースは、請求項１〜７のいずれかに記載の基板収納ケースであって、
前記ケースカバー（２０２）の側縁（ケースカバー２０２の側壁２３０）より外方に向けて突設された連接部（２５７）を介して設けられる第１被固着部（２５５，被固着部２５５ａ〜２５５ｄ，筒状部２５６）と、
前記ケース本体（２０１）の側縁（ケース本体２０１の側壁２０３）に、前記第１被固着部に対応して設けられる第２被固着部（２１２，ネジ孔２１１ａ〜２１１ｄ，固着片２１２ａ，筒状部２１２ｂ）と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材（ワンウェイネジ２８０）と、
を備え、
前記ケースカバーは、前記第１被固着部が設けられた側縁（２３０）とは逆の側縁（側壁２３１側に設けられた係止片２６１）を中心として前記ケース本体に対して回動自在に設けられている、
ことを特徴としている。
この特徴によれば、第１被固着部及び第２被固着部同士を固着部材により固着することで制御基板を封止状態とすることができるとともに、基板収納ケースを破壊するかもしくは固着された第１被固着部の連接部を切断することで、封止状態を解除してケースを開放することができる。また、複数の側縁を固着しなくても封止状態を構成することができるので、固着作業が容易になる。
【００１８】
本発明の請求項９に記載の基板収納ケースは、請求項１〜８のいずれかに記載の基板収納ケースであって、
前記ケースカバー（２０２）の側縁（ケースカバー２０２の側壁２３０）より外方に向けて突設された連接部（２５７）を介して設けられる複数の第１被固着部（２５５，被固着部２５５ａ〜２５５ｄ，筒状部２５６）と、
前記ケース本体（２０１）の側縁（ケース本体２０１の側壁２０３）に、前記複数の第１被固着部それぞれに対応して設けられる複数の第２被固着部（２１２，ネジ孔２１１ａ〜２１１ｄ，固着片２１２ａ，筒状部２１２ｂ）と、
前記第１被固着部と前記第２被固着部とを固着する部材であって、前記基板収納ケースを破壊するかもしくは前記連接部を切断しない限り前記制御基板の封止状態を解除することができない状態とするために、前記第１被固着部と前記第２被固着部とを固着する固着部材（ワンウェイネジ２８０）と、
前記制御基板の封止状態を解除した後、再度前記制御基板の封止状態を実現する際に使用する予備用固着部材（予備用ワンウェイネジ２８０）と、
を備え、
前記ケース本体（２０１）の内部には、前記予備用固着部材を収納可能な収納口（２０９ｃ）を有する予備用固着部材収納部（ネジ収納部２０９）が設けられているとともに、前記ケースカバー（２０２）の内面所定箇所には、前記制御基板の封止状態において前記予備用固着部材収納部からの前記予備用固着部材の逸脱を当接規制する固着部材規制部（ネジ規制用リブ２５３）が、前記予備用固着部材収納部の収納口に向けて延設されている、
ことを特徴としている。
この特徴によれば、複数のうち少なくとも一対の第１被固着部及び第２被固着部同士を固着部材により固着することで制御基板を封止状態とすることができるとともに、基板収納ケースを破壊するかもしくは固着された第１被固着部の連接部を切断することで、封止状態を解除してケースを開放することができる。さらに連接部を切断するなどして封止状態を解除した後でも、未使用の一対の第１被固着部及び第２被固着部同士を予備用固着部材により固着することで、再度制御基板を封止状態で内部に収納することができる。
また、基板収納ケースを開放することにより予備用固着部材収納部の開口が開放されるため、予備用固着部材を予備用固着部材収納部に簡単に収納及び取り出すことができるとともに、予備用固着部材収納部に収納された予備用固着部材は、制御基板の封止状態において予備用固着部材収納部からの逸脱が規制部との当接により規制されるため、逸脱した予備用固着部材により制御基板が損傷することを防止できる。さらに、規制部はケースカバーの内面所定箇所から延設されていることで、予備用固着部材収納部の配設位置がケースカバーやケース本体の形状により制限されたり、あるいはケースカバーやケース本体の形状を予備用固着部材収納部の配設位置に合わせて形成する必要がないので、基板収納ケースの設計が煩雑になることを回避できる。
【発明を実施するための最良の形態】
【００１９】
本発明の実施例を以下に説明する。
【実施例１】
【００２０】
まず、本発明の弾球遊技機の一例であるパチンコ遊技機の全体の構成について説明する。図１はパチンコ遊技機１（以下、パチンコ機１と略称する）を正面からみた正面図であり、図２はパチンコ機を示す背面図である。尚、以下の説明において、図１の手前側をパチンコ機の前面（表面）側、奥側を背面（裏面）側として説明する。尚、本実施例におけるパチンコ機の前面（表面）とは、遊技者側からパチンコ機１を見たときに該遊技者と対向する対向面である。
【００２１】
パチンコ遊技機１は、縦長の方形状に形成された外枠１００（図２参照）と、外枠１００に開閉可能に取り付けられた前面枠１０１（図２参照）と、で主に構成されている。前面枠１０１の前面には、ガラス扉枠１０２及び上皿扉枠１０３がそれぞれ一側を中心に開閉可能に設けられているとともに、下皿枠１０４が取り付けられている。また、前面枠１０１の背面側には、機構部品等が取り付けられる機構板１０５（図２参照）が一側を中心にして開閉可能に取り付けられている。
【００２２】
図１に示すように、ガラス扉枠１０２の下方に取り付けられた上皿扉枠１０３の前面には、遊技媒体（遊技球）としてのパチンコ球（打球）を貯留可能な打球供給皿（上皿とも言う）３が、パチンコ機１の前方（パチンコ機１の前面方向）に向けて膨出するように設けてある。打球供給皿３の下方には、打球供給皿３から溢れたパチンコ球を貯留する余剰球受皿４（下皿とも言う）が、パチンコ機１の前方（パチンコ機１の前面方向）に向けて膨出するように設けてあるとともに、その側方には、パチンコ球を発射する打球操作ハンドル（操作ノブ）５が設けられている。ガラス扉枠１０２の背面には、前面枠１０１に対して着脱可能に取り付けられた遊技盤６が配置されている。なお、遊技盤６は、それを構成する板状体と、その板状体に取り付けられた種々の部品とを含む構造体である。また、遊技盤６の前面には遊技領域７が形成されている。
【００２３】
遊技領域７の中央付近には、それぞれが演出用の飾り図柄を変動表示する複数の変動表示領域を含む変動表示装置（飾り図柄表示装置）９が設けられている。また、変動表示装置９の上部には、各々を識別可能な複数種類の識別情報としての特別図柄を変動表示する特別図柄表示器（特別図柄表示装置）８が設けられている。変動表示装置９には、たとえば「左」、「中」、「右」の３つの変動表示領域（図柄表示エリア）がある。変動表示装置９は、特別図柄表示器８による特別図柄の変動表示期間中に、装飾用（演出用）の図柄であって、各々を識別可能な複数種類の識別情報としての飾り図柄の変動表示を行なう。変動表示装置９は、後述する演出制御基板８０に搭載されている演出制御用マイクロコンピュータ８１（図３参照）によって制御される。特別図柄表示器８は表示部が小型であるので、変動表示の態様および変動表示の表示結果が変動表示装置９と比べて見づらいため、遊技者は主として変動表示装置９の方に注目する。
【００２４】
特別図柄表示器８は、たとえば０〜９の数字を変動表示可能な簡易で小型の表示器（たとえば７セグメントＬＥＤ）で実現されている。特別図柄表示器８は、遊技者に当りの種類を把握しづらくさせるために、０〜９９など、より多種類の数字を変動表示するように構成されていてもよい。また、変動表示装置９は、液晶表示装置よりなる画像表示装置で実現されている。変動表示装置９は、特別図柄表示器８による特別図柄の変動表示期間中に、飾り図柄の変動表示を行なう。
【００２５】
なお、本実施例においては、変動表示装置９は、液晶表示装置を用いた例について説明するが、これに限らず、変動表示装置９は、ＣＲＴ（Cathode Ray Tube）、ＦＥＤ（Field Emission Display）、ＰＤＰ（Plasma Display Panel）、ドットマトリクス、７セグメントＬＥＤ等のＬＥＤ（Light Emitting Diode）、エレクトロルミネッセンス、蛍光表示管等のその他の画像表示式の表示装置により構成されてもよい。また、変動表示装置９は、回転ドラム式表示装置等の機械式の表示装置であってもよい。
【００２６】
変動表示装置９の下方には、パチンコ球を受け入れ可能な入賞領域としての第１始動口１５ａおよび第２始動口１５ｂを有する始動入賞装置１５が設けられている。始動入賞装置１５では、上部に第１始動口１５ａが設けられ、その下部に第２始動口１５ｂが設けられている。第２始動口１５ｂの左右には、開閉動作をすることが可能な態様で一対の可動片１３，１３が設けられている。第１始動口１５ａは、上方を向いて開口しており、常にパチンコ球の進入（受け入れ）が可能な状態となっている。一方、第２始動口１５ｂは、上方に第１始動口１５ａの周囲の構造物が設けられ、左右に可動片１３，１３が設けられているため、可動片１３，１３が閉状態であるときにパチンコ球の進入（受け入れ）が不可能な状態となり、可動片１３，１３が開状態であるときにパチンコ球の進入（受け入れ）が可能な状態となる。このように、第１始動口１５ａは入賞のしやすさが変化せず、第２始動口１５ｂは可動片１３，１３の開閉動作によって入賞のしやすさが変化する。
【００２７】
なお、始動入賞装置１５は、可動片１３，１３が閉状態になっている状態において、第２始動口１５ｂに入賞はしづらいものの、入賞することは可能である（すなわち、パチンコ球が入賞しにくい）ように構成されていてもよい。また、始動入賞装置１５は、始動口として、入賞のしやすさが変化しない第１始動口１５ａのみが設けられたものであってもよく、可動片１３，１３の開閉動作によって入賞のしやすさが変化する第２始動口１５ｂのみが設けられたものであってもよい。
【００２８】
始動入賞装置１５の可動片１３，１３は、後述する開放条件が成立したときに、ソレノイド１６によって駆動されることにより、閉状態から所定期間開状態とされた後、閉状態とされる。始動入賞装置１５の可動片１３，１３が開状態となることにより、パチンコ球が第２始動口１５ｂに入賞し易くなり（始動入賞し易くなり）、遊技者にとって有利な状態（第１の状態）となる。一方、始動入賞装置１５の可動片１３，１３が閉状態となることにより、パチンコ球が第２始動口１５ｂに入賞しなくなり（始動入賞しにくくなり）、遊技者にとって不利な状態（第２の状態）となる。第１始動口１５ａに入った入賞球は、遊技盤６の背面に導かれ、第１始動口スイッチ１４ａによって検出される。また、第２始動口１５ｂに入った入賞球は、遊技盤６の背面に導かれ、第２始動口スイッチ１４ｂによって検出される。
【００２９】
変動表示装置９の下部には、第１始動口スイッチ１４ａまたは第２始動口スイッチ１４ｂに入った有効入賞球の記憶数すなわち保留記憶（始動記憶または始動入賞記憶ともいう）数を表示する４つの特別図柄保留記憶表示器１８が設けられている。特別図柄保留記憶表示器１８は、保留記憶数を入賞順に４個まで表示する。特別図柄保留記憶表示器１８は、第１始動口１５ａまたは第２始動口１５ｂに始動入賞があるごとに、保留記憶の記憶データが１増えて、点灯状態のＬＥＤの数を１増やす。そして、特別図柄保留記憶表示器１８は、特別図柄表示器８で変動表示が開始されるごとに、保留記憶の記憶データが１減って、点灯状態のＬＥＤの数を１減らす（すなわち１つのＬＥＤを消灯する）。具体的には、特別図柄保留記憶表示器１８は、特別図柄表示器８で変動表示が開始されるごとに、点灯状態をシフトする。なお、この例では、第１始動口１５ａまたは第２始動口１５ｂへの入賞による保留記憶数に上限数（４個まで）が設けられている。しかし、これに限らず、保留記憶数の上限数は、４個以上の値にしてもよく、４個よりも少ない値にしてもよい。
【００３０】
始動入賞装置１５の下部には、ソレノイド２１によって開閉される開閉板を用いた特別可変入賞球装置２０が設けられている。特別可変入賞球装置２０は、開閉板によって開閉される大入賞口が設けられており、大当り遊技状態において開閉板が遊技者にとって有利な開状態（第１の状態）に制御され、大当り遊技状態以外の状態において開閉板が遊技者にとって不利な閉状態（第２の状態）に制御される。このように、特別可変入賞球装置２０は、大当り遊技状態となるときに開放条件が成立する。特別可変入賞球装置２０に入賞し遊技盤６の背面に導かれた入賞球のうち一方（Ｖ入賞領域：特別領域）に入った入賞球及び他方の領域に入ったパチンコ球は、そのままカウントスイッチ２３で検出される。遊技盤６の背面には、大入賞口内の経路を切換えるためのソレノイド２１ａ（図３参照）も設けられている。
【００３１】
パチンコ球がゲート３２を通過しゲートスイッチ３２ａで検出されると、複数種類の識別情報としての普通図柄を変動表示する普通図柄表示器１０における変動表示が開始される。この実施の形態では、左右のＬＥＤ（点灯時に図柄が視認可能になる）が交互に点灯することによって変動表示が行なわれ、たとえば、変動表示の終了時に左側のＬＥＤが点灯すれば当りになる。そして、普通図柄表示器１０における停止図柄が所定の図柄（当り図柄）となったときに、始動入賞装置１５の可動片１３，１３の開放条件が成立し、始動入賞装置１５における可動片１３，１３が所定回数、所定時間だけ開状態になる。普通図柄表示器１０の近傍には、ゲート３２を通過した有効通過球の記憶数、すなわち、始動通過記憶数を表示する４つのＬＥＤによる表示部を有する普通図柄始動記憶表示器４１が設けられている。ゲート３２へのパチンコ球の通過があるごとに、始動通過記憶の記憶データが１増えて、普通図柄始動記憶表示器４１は点灯するＬＥＤを１増やす。そして、普通図柄表示器１０における変動表示が開始されるごとに、始動通過記憶の記憶データが１減って、点灯するＬＥＤを１減らす。
【００３２】
遊技盤６には、パチンコ球を受け入れて入賞を許容する入賞装置の入賞領域として、第１通常入賞口２９、第２通常入賞口３０、第３通常入賞口３３、および、第４通常入賞口３９よりなる複数の通常入賞口が設けられる。第１通常入賞口２９へのパチンコ球の入賞は、第１入賞口スイッチ２９ａによって検出される。第２通常入賞口３０へのパチンコ球の入賞は、第２入賞口スイッチ３０ａによって検出される。第３通常入賞口３３へのパチンコ球の入賞は、第３入賞口スイッチ３３ａによって検出される。第４通常入賞口３９へのパチンコ球の入賞は、第４入賞口スイッチ３９ａによって検出される。なお、第１始動口１５ａ、第２始動口１５ｂ、および、大入賞口も、パチンコ球を受け入れて入賞を許容する入賞装置の入賞領域を構成する。また、遊技領域７の左右周辺には、遊技中に点滅表示される装飾ＬＥＤ２５が設けられ、下部には、入賞しなかったパチンコ球を回収するアウト口２６がある。
【００３３】
遊技領域７の外側の左右上部には、効果音を発する２つのスピーカ２７が設けられている。遊技領域７の外周には、天枠ＬＥＤ２８ａ（図３参照）が内蔵される天枠発光部２８Ｈと、左枠ＬＥＤ２８ｂ（図３参照）が内蔵される左発光部２８Ｌおよび右枠ＬＥＤ２８ｃ（図３参照）が内蔵される右発光部２８Ｒが設けられている。さらに、遊技領域７における各構造物（大入賞口等）の周囲には装飾ＬＥＤが設置されている。これら天枠ＬＥＤ２８ａ、左枠ＬＥＤ２８ｂおよび右枠ＬＥＤ２８ｃおよび装飾用ＬＥＤは、パチンコ遊技機１に設けられている装飾発光体の一例である。
【００３４】
そして、この例では、左発光部２８Ｌの所定箇所に、賞球払出中に点灯する賞球ＬＥＤ５１が設けられ、右枠ＬＥＤ２８ｃの所定箇所に、補給球が切れたときに点灯する球切れＬＥＤ５２が設けられている。さらに、プリペイドカードが挿入されることによって球貸しを可能にするプリペイドカードユニット（以下、「カードユニット」という。）５０が、パチンコ遊技機１に隣接して設置されている。
【００３５】
上皿扉枠１０３の前面における打球供給皿３の左右側方から打球供給皿３の左右側面にかけて、上皿扉枠１０３前面における打球供給皿３の左右側方に設けられた供給皿左ＬＥＤ３００ａ及び供給皿右ＬＥＤ３００ｂにより発光する供給皿左発光部３００Ｌ，供給皿右発光部３００Ｒが設けられているとともに、打球供給皿３の前面には、打球供給皿３の内部に設けられた供給皿前ＬＥＤ３０１ａにより発光する供給皿前発光部３０１が設けられている。さらに、余剰球受皿４の周縁上面には、余剰球受皿４の内部に設けられた受皿ＬＥＤ３０２ａにより発光する受皿発光部３０２が設けられている。尚、これら供給皿左発光部３００Ｌ，供給皿右発光部３００Ｒ及び受皿発光部３０２の詳細については後述することとする。
【００３６】
賞球ＬＥＤ５１、球切れＬＥＤ５２、装飾ＬＥＤ２５、天枠ＬＥＤ２８ａ、左枠ＬＥＤ２８ｂ、右枠ＬＥＤ２８ｃ、供給皿左ＬＥＤ３００ａ、供給皿右ＬＥＤ３００ｂ、供給皿左右外ＬＥＤ３００ｃ、供給皿前ＬＥＤ３０１ａ、受皿ＬＥＤ３０２ａ等の各種発光手段は、後述するＬＥＤドライバ基板３５によって点灯制御（ＬＥＤ制御）される。また、スピーカ２７からの音発生制御（音制御）は、後述する音声出力基板７０によって行なわれる。
【００３７】
カードユニット５０には、たとえば、使用可能状態であるか否かを示す使用可表示ランプ、カードユニット５０がいずれの側のパチンコ遊技機１に対応しているのかを示す連結台方向表示器、カードユニット５０内にカードが投入されていることを示すカード投入表示ランプ、記録媒体としてのカードが挿入されるカード挿入口、および、カード挿入口の裏面に設けられているカードリーダライタの機構を点検する場合にカードユニット５０を解放するためのカードユニット錠が設けられている。
【００３８】
遊技者の操作により打球発射装置から発射されたパチンコ球は、打球レールを通って遊技領域７に入り、その後、遊技領域７を下りてくる。パチンコ球が、第１始動口１５ａに入り第１始動口スイッチ１４ａで検出されるか、または、第２始動口１５ｂに入り第２始動口スイッチ１４ｂで検出されると、特別図柄の変動表示を開始できる状態であれば、特別図柄表示器８において特別図柄が変動表示を始める。特別図柄の変動表示を開始できる状態でなければ、保留記憶数を１増やす。
【００３９】
特別図柄表示器８における特別図柄の変動表示は、変動表示が行なわれるごとに設定された変動表示時間が経過したときに停止する。停止時の特別図柄（停止図柄）が特定表示結果としての大当り図柄（大当り表示結果ともいう）であると、大当りとなり、大当り遊技状態に移行する。大当り遊技状態においては、特別可変入賞球装置２０が、一定時間経過するまで、または、所定個数（たとえば１０個）のパチンコ球が入賞するまで開放する。そして、特別可変入賞球装置２０の開放中にパチンコ球がＶ入賞領域に入賞しカウントスイッチ２３で検出されると、継続権が発生し特別可変入賞球装置２０の開放が再度行なわれる。継続権の発生は、たとえば１５ラウンドのような所定回数を上限値として許容される。このような制御は、繰返し継続制御と呼ばれる。繰返し継続制御において、特別可変入賞球装置２０が開放されている状態がラウンドと呼ばれる。なお、Ｖ入賞領域を設けずに、各ラウンドにおいて無条件で継続権が発生するように制御してもよい。
【００４０】
停止時の特別図柄表示器８における特別図柄が大当り図柄のうちの予め定められた特別な大当り図柄（確変大当り図柄）である場合には、大当り遊技状態後に大当りとすると判定される確率（大当り確率）が、大当り遊技状態と異なる通常状態である通常遊技状態よりも高くなる確率変動状態（以下、確変状態と呼ぶ）という遊技者にとってさらに有利な状態になる。以下、確変状態は、高確率状態（高確状態と略称で呼ぶ場合もある）ともいう。また、非確変状態は、低確率状態（低確状態と略称で呼ぶ場合もある）ともいう。
【００４１】
また、特別図柄表示器８での変動表示の停止時における特別図柄の表示結果が、確変大当り図柄である場合には、大当り遊技状態後に変動時間短縮状態である時短状態に所定期間に亘り制御される。時短状態とは、通常遊技状態に比べて、特別図柄表示器８、変動表示装置９、および、普通図柄表示器１０のそれぞれの変動表示時間（変動開始時から表示結果の導出表示時までの時間）を短縮して早期に表示結果を導出表示させる制御状態をいう。さらに、時短状態中には、普通図柄表示器１０における停止図柄が当り図柄になる確率が高められるとともに、始動入賞装置１５の可動片１３，１３の開放時間が長くされ、開放回数が増加させられる。時短状態中では、図柄の変動表示時間が短縮されるので、後述する保留記憶数が早期に消化され、保留記憶数の上限（たとえば「４」）を超えて発生した始動入賞が無効になってしまう状態を減少でき、短期間に頻繁に表示結果を導出表示して早期に大当り表示結果を導出表示しやすくなるので、時間効率的な観点で変動表示の表示結果が大当り図柄の表示結果となりやすくなり、遊技者にとって有利な遊技状態となる。このように、確変大当りの場合は、大当り遊技状態の終了後の所定期間において、高確率状態かつ時短状態に制御されることとなる。大当り遊技状態の終了後の所定期間に亘る時短状態は、次の大当り遊技状態が発生するか、または、特別図柄および飾り図柄の変動表示が所定回数（１００回）行なわれるまでの、いずれか早い方の条件が成立するまで継続される。
【００４２】
また、入賞に応じたパチンコ球の払出しの面から考えると、時短状態は、非時短状態と比べて、普通図柄の変動表示時間が短縮され、普通図柄表示器１０における停止図柄が当り図柄になる確率が高められ、当り時における始動入賞装置１５の可動片１３，１３の開放時間が長くされ、当り時における始動入賞装置１５の可動片１３，１３の１度の開放回数が多くされることに基づいて、通常遊技状態と比べて始動入賞装置１５の可動片１３，１３が開放状態となりやすい。したがって、時短状態では、第２始動口１５ｂへの入賞（始動入賞が有効である場合と無効である場合との両方を含む）が生じやすくなるため、遊技領域７へ打込んだパチンコ球数（打込球数）に対して、入賞に応じた賞球として払出されるパチンコ球数（払出球数）の割合が、通常遊技状態と比べて多くなる。一般的に、発射球数に対する入賞による賞球の払出球数の割合は、「ベース」と呼ばれる。たとえば、１００球の打込球数に対して４０球の払出球数があったときには、ベースは４０（％）となる。この実施の形態の場合では、たとえば通常遊技状態のような非時短状態よりもベースが高い時短状態を高ベース状態と呼び、逆に、そのような高ベース状態と比べてベースが低い通常遊技状態のような非時短状態を低ベース状態と呼ぶ。
【００４３】
このように、発射球数に対する入賞による賞球の払出球数の割合が一般的に「ベース」と呼ばれるが、たとえば１分間等の単位時間におけるパチンコ球の最大発射数は、一定数に制限されている。このため、「ベース」は、単位時間において、遊技領域に設けられた複数の入賞口への入賞による賞球の払出球数の合計値によっても示すことができる。たとえば、単位時間におけるパチンコ球の最大発射数を１００球とすると、単位時間における入賞による賞球の払出球数の合計値は、一般的な「ベース」の値と一致することとなる。このような関連性に基づいて、本実施形態では、第１始動口１５ａ、第２始動口１５ｂ、第１通常入賞口２９、第２通常入賞口３０、第３通常入賞口３３、および、第４通常入賞口３９のそれぞれを異常監視対象入賞口としており、該異常監視対象入賞口の入賞による賞球の払出球数の合計値は、ベースと呼ばれ、入賞に関する異常監視の対象として用いられる。
【００４４】
確変状態（高確率状態）と非確変状態（低確率状態）とのどちらの状態であるかは、確変状態においてセットされるフラグである確変フラグがセットされているか否かに基づいて判断される。また、時短状態（高ベース状態）と非時短状態（低ベース状態）とのどちらの状態であるかは、時短状態においてセットされるフラグである時短フラグがセットされているか否かに基づいて判断される。
【００４５】
また、前述の時短状態に制御されていない状態においては、特別図柄の保留記憶数が所定個数以上となるごとに、特別図柄および飾り図柄の変動表示時間を短縮する記憶変動短縮状態に制御する記憶変動短縮制御が行なわれる。記憶変動短縮制御は、特別図柄の保留記憶数が所定個数未満となった段階で終了する。したがって、時短状態に制御されていない状態においても、特別図柄および飾り図柄の変動表示時間が短縮される場合がある。
【００４６】
変動表示装置９において変動表示される飾り図柄は、特別図柄表示器８における特別図柄の変動表示の装飾効果を高めるために、特別図柄の変動表示と所定の関係を有して変動表示される装飾的な意味合いがある図柄である。このような図柄についての所定の関係には、たとえば、特別図柄の変動表示が開始されたときに飾り図柄の変動表示が開始する関係、および、特別図柄の変動表示の終了時に特別図柄の表示結果が導出表示されるときに飾り図柄の表示結果が導出表示されて飾り図柄の変動表示が終了する関係等が含まれる。特別図柄表示器８により予め定められた大当り図柄が表示結果として導出表示されるときには、変動表示装置９により、左，中，右図柄がゾロ目となる大当り図柄の組合せが表示結果として導出表示される。このような特別図柄による大当り図柄の表示結果および飾り図柄による大当り図柄の組合せの表示結果は、大当り表示結果という。
【００４７】
特別図柄表示器８と変動表示装置９とは変動表示結果が前述したような対応関係になるため、以下の説明においては、これらをまとめて変動表示部と呼ぶ場合がある。
【００４８】
次に、リーチ表示態様（リーチ）について説明する。本実施形態におけるリーチ表示態様（リーチ）とは、停止した図柄が大当り図柄の一部を構成しているときに未だ停止していない図柄については変動表示が行なわれていること、および、すべてまたは一部の図柄が大当り図柄のすべてまたは一部を構成しながら同期して変動表示している状態である。
【００４９】
たとえば、変動表示装置９において、図柄が停止することで大当りとなる有効ライン（本実施の形態の場合は横１本の有効ライン）が予め定められ、その有効ライン上の一部の表示領域に予め定められた図柄が停止しているときに未だ停止していない有効ライン上の表示領域において変動表示が行なわれている状態（たとえば、変動表示装置９における左，中，右の変動表示領域のうち左，右の表示領域に同一の図柄が停止表示されている状態で中の表示領域は未だ変動表示が行なわれている状態）、および、有効ライン上の表示領域のすべてまたは一部の図柄が大当り図柄のすべてまたは一部を構成しながら同期して変動表示している状態（たとえば、変動表示装置９における左，中，右の表示領域のすべてに変動表示が行なわれており、常に同一の図柄が揃っている状態で変動表示が行なわれている状態）をリーチ表示態様またはリーチという。
【００５０】
また、リーチの際に、通常と異なる演出がＬＥＤや音で行なわれることがある。この演出をリーチ演出という。また、リーチの際に、キャラクタ（人物等を模した演出表示であり、図柄（飾り図柄等）とは異なるもの）を表示させたり、変動表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別（特定）のリーチをスーパーリーチという。
【００５１】
また、変動表示装置９については、大当りを発生させる契機となる変動表示において、大当りとなることを報知する予告演出である大当り予告が行なわれる場合がある。
【００５２】
この実施の形態の場合は、大当りとして、通常大当りおよび確変大当りというような複数種類の大当りが設けられている。以下の説明においては、大当りの種類を特定せずに単に「大当り」と示すときは、これら複数種類の大当りを代表して示す場合である。
【００５３】
通常大当りは、大当り遊技状態の終了後に確変状態にならず、かつ、時短状態にならないことにより、低確率状態、かつ、低ベース状態となる大当り（非確変大当り）である。このような、低確率状態かつ低ベース状態となった状態は、低確低ベース状態と呼ばれる。確変大当りは、大当り遊技状態の終了後に確変状態になり、かつ、所定期間に亘り時短状態になる高確率状態、かつ、高ベース状態となる大当りである。このような、高確率状態かつ高ベース状態となった状態は、高確高ベース状態と呼ばれる。確変大当りとなった後においては、所定期間が経過すると時短状態が終了し、高確率状態、かつ、低ベース状態になる。このような、高確率状態かつ低ベース状態となった状態は、高確低ベース状態と呼ばれる。
【００５４】
また、変動表示装置９については、大当りを発生させる契機となる変動表示において、大当りとなることを報知する予告演出である大当り予告が行なわれる場合がある。
【００５５】
次に、パチンコ遊技機１の裏面の構造について図２を参照して説明する。
【００５６】
図２に示すように、パチンコ遊技機１裏面側では、変動表示装置９を制御する演出制御用マイクロコンピュータが搭載された演出制御基板８０を含む変動表示制御ユニット４９、遊技制御用マイクロコンピュータ等が搭載された遊技制御基板（主基板）３１、音声出力基板７０、ＬＥＤドライバ基板（図示省略）、および、球払出制御を行なう払出制御用マイクロコンピュータ等が搭載された払出制御基板３７等の各種基板が設置されている。尚、遊技制御基板３１を収納した状態で設置するための基板収納ケース２００の詳細については後述することとする。
【００５７】
さらに、パチンコ遊技機１裏面側には、ＤＣ３０Ｖ、ＤＣ２１Ｖ、ＤＣ１２ＶおよびＤＣ５Ｖ等の各種電源電圧を作成する電源回路が搭載された電源基板９１０やタッチセンサ基板９１Ａが設けられている。電源基板９１０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチが設けられている。さらに、電源スイッチの内側（基板内部側）には、交換可能なヒューズが設けられている。
【００５８】
なお、電気部品制御基板には、電気部品制御用マイクロコンピュータを含む電気部品制御手段が搭載されている。電気部品制御手段は、遊技制御手段等からのコマンドとしての指令信号（制御信号）にしたがってパチンコ遊技機１に設けられている電気部品（遊技用装置：球払出装置９７、変動表示装置９、ＬＥＤなどの発光体、スピーカ２７等）を制御する。以下、遊技制御基板３１を電気部品制御基板に含めて説明を行なうことがある。その場合には、電気部品制御基板に搭載される電気部品制御手段は、遊技制御手段と、遊技制御手段等からの指令信号にしたがってパチンコ遊技機１に設けられている電気部品を制御する手段とのそれぞれを指す。また、遊技制御基板３１以外のマイクロコンピュータが搭載された基板をサブ基板ということがある。
【００５９】
パチンコ遊技機１裏面において、上方には、各種情報をパチンコ遊技機１外部に出力するための各端子を備えたターミナル基板１５９が設置されている。ターミナル基板１５９には、少なくとも、球切れ検出スイッチ１６７の出力を導入して外部出力するための球切れ用端子、賞球情報（賞球個数信号）を外部出力するための賞球用端子および球貸し情報（球貸し個数信号）を外部出力するための球貸し用端子が設けられている。また、中央付近には、遊技制御基板３１からの各種情報をパチンコ遊技機１外部に出力するための各端子を備えた情報端子基板（情報出力基板）３６が設置されている。
【００６０】
貯留タンク３８に貯留されたパチンコ球は誘導レール（図示せず）を通り、カーブ樋を経て払出ケース４０Ａで覆われた球払出装置９７に至る。球払出装置９７の上方には、遊技媒体切れ検出手段としての球切れスイッチ１８７が設けられている。球切れスイッチ１８７が球切れを検出すると、球払出装置９７の払出動作が停止する。球切れスイッチ１８７はパチンコ球通路内のパチンコ球の有無を検出するスイッチであるが、貯留タンク３８内の補給球の不足を検出する球切れ検出スイッチ１６７も誘導レールにおける上流部分（貯留タンク３８に近接する部分）に設けられている。球切れ検出スイッチ１６７がパチンコ球の不足を検知すると、遊技機設置島に設けられている補給機構からパチンコ遊技機１に対してパチンコ球の補給が行なわれる。
【００６１】
入賞に基づく景品としてのパチンコ球や球貸し要求に基づくパチンコ球が多数払出されて打球供給皿３が満杯になると、パチンコ球は、余剰球誘導通路を経て余剰球受皿４に導かれる。さらにパチンコ球が払出されると、感知レバー（図示せず）が貯留状態検出手段としての満タンスイッチ１９（図３参照）を押圧して、貯留状態検出手段としての満タンスイッチ１９がオンする。その状態では、球払出装置内の払出モータの回転が停止して球払出装置の動作が停止するとともに打球発射装置の駆動も停止する。
【００６２】
図３は、遊技制御基板３１における回路構成の一例を示すブロック図である。なお、図３には、パチンコ遊技機１に搭載されている払出制御基板３７、ＬＥＤドライバ基板３５、音声出力基板７０、インタフェース基板６６、中継基板７７、および、演出制御基板８０も示されている。主基板（遊技制御基板）３１には、プログラムにしたがってパチンコ遊技機１を制御する基本回路（遊技制御手段に相当）となる遊技制御用マイクロコンピュータ５６０と、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ、満タンスイッチ１９からの信号の他、電源断信号およびクリア信号等の各種信号を遊技制御用マイクロコンピュータ５６０に与える入力ドライバ回路５８と、始動入賞装置１５の可動片１３，１３を開閉するソレノイド１６、特別可変入賞球装置２０を開閉するソレノイド２１、および、大入賞口内の経路を切換えるためのソレノイド２１ａを遊技制御用マイクロコンピュータ５６０からの指令にしたがって駆動する出力回路５９と、遊技制御用マイクロコンピュータ５６０からの指令にしたがって各種の情報信号をホール管理コンピュータ等のパチンコ遊技機１の外部に設けられた装置に出力する情報出力回路５３とが搭載されている。情報出力回路５３から出力された情報信号は、情報端子基板３６を介して、パチンコ遊技機１の外部に出力される。
【００６３】
情報出力回路５３から出力される情報信号としては、大当り１情報信号、大当り２情報信号、大当り３情報信号、高確率情報信号、時短情報信号、第１始動情報信号、第２始動情報信号、第１入賞数異常信号、第２入賞数異常信号、第１ベース異常信号、第２ベース異常信号、および、始動口入賞異常信号が含まれる。
【００６４】
大当り１情報信号、大当り２情報信号および大当り３情報信号のそれぞれは、確変大当り、非確変大当り等の大当りの種類を特定した大当りの発生を示す信号である。高確率情報信号は、確率変動が生じたことを示す信号である。時短情報信号は、時短状態が生じたことを示す信号である。第１始動情報信号は、第１始動口１５ａへの入賞により特別図柄および飾り図柄の変動表示開始に利用されるパチンコ球が検出されたことを示す信号である。第２始動情報信号は、第２始動口１５ｂへの入賞により特別図柄および飾り図柄の変動表示開始に利用されるパチンコ球が検出されたことを示す信号である。
【００６５】
第１入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値以上となったことに基づく異常状態（以下、入賞数異常状態または第１入賞数異常状態ともいう）が生じたときに、そのような異常が生じた旨を示す信号である。第２入賞数異常信号は、第１始動口１５ａ、第２始動口１５ｂ、第１通常入賞口２９、第２通常入賞口３０、第３通常入賞口３３、および、第４通常入賞口３９のそれぞれを異常監視対象入賞口として、後述するように実行される入賞数監視処理において、所定の単位時間中での入賞数が第１入賞数異常判定値よりも大きい第２入賞数異常判定値以上となったことに基づく異常状態（以下、入賞数異常状態または第２入賞数異常状態ともいう）が生じたときに、そのような異常が生じた旨を示す信号である。
【００６６】
第１ベース異常信号は、前述の異常監視対象入賞口を対象として、後述するように実行される入賞数監視処理において、所定の単位時間中でのこれら入賞口への入賞数に基づく賞球数の合計値（以下、ベースという）が第１のベース異常判定値以上となったことに基づく異常状態（以下、ベース異常状態または第１ベース異常状態ともいう）が生じたときに、そのような異常が生じた旨を示す信号である。第２ベース異常信号は、前述の異常監視対象入賞口を対象として、後述するように実行される入賞数監視処理において、所定の単位時間中でのこれら入賞口への入賞数に基づく賞球数の合計値（ベース）が第１のベース異常判定値よりも大きい第２のベース異常判定値以上となったことに基づく異常状態（以下、ベース異常状態または第２ベース異常状態ともいう）が生じたときに、そのような異常が生じた旨を示す信号である。
【００６７】
始動口入賞異常信号は、第２始動口１５ｂを対象として、可動片１３，１３が閉状態であるときにパチンコ球が入賞したことに基づく異常状態が生じたときに、そのような異常状態が生じた旨を示す信号である。
【００６８】
なお、ゲートスイッチ３２ａ、第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、第４入賞口スイッチ３９ａ等のスイッチは、センサと称されているものでもよい。すなわち、パチンコ球を検出できる遊技媒体検出手段（この例ではパチンコ球検出手段）であれば、その名称を問わない。入賞検出を行なう第１始動口スイッチ１４ａ、第２始動口スイッチ１４ｂ、カウントスイッチ２３、第１入賞口スイッチ２９ａ、第２入賞口スイッチ３０ａ、第３入賞口スイッチ３３ａ、および、第４入賞口スイッチ３９ａへのパチンコ球の入賞を検出する入賞検出手段でもある。
【００６９】
なお、ゲート３２のような通過ゲートであっても、賞球の払出しが行なわれるものであれば、通過ゲートへパチンコ球が進入することが入賞になり、通過ゲートに設けられているスイッチ（たとえばゲートスイッチ３２ａ）が入賞検出手段になる。また、Ｖ入賞領域に入賞したパチンコ球がカウントスイッチ２３でも検出される。よって、大入賞口に入賞したパチンコ球数は、カウントスイッチ２３による検出数に相当する。また、Ｖ入賞領域に入賞したパチンコ球はＶ入賞スイッチのみで検出されるようにし、大入賞口に入賞したパチンコ球数は、Ｖ入賞スイッチによる検出数とカウントスイッチ２３による検出数との和になるようにしてもよい。また、Ｖ入賞領域を設けず、最終ラウンド以外のラウンドでは、常に継続権が発生するようにしてもよい。また、Ｖ入賞領域を設け、１ラウンド目は無条件（Ｖ入賞領域への入賞によらず）継続権が発生し、２ラウンド目以降においてＶ入賞領域への入賞により継続権が発生するようにしてもよい。
【００７０】
遊技制御用マイクロコンピュータ５６０は、ゲーム制御（遊技進行制御）用のプログラム等を記憶するＲＯＭ５４、ワークメモリとして使用される記憶手段（変動データを記憶する変動データ記憶手段）としてのＲＡＭ５５、およびプログラムにしたがって制御動作を行なうプロセッサであるＣＰＵ５６、および、Ｉ／Ｏポート５０６を含む。遊技制御用マイクロコンピュータ５６０は、１チップマイクロコンピュータである。なお、１チップマイクロコンピュータは、ＣＰＵ５６の他に少なくともＲＡＭ５５が内蔵されていればよい。また、ＲＯＭ５４およびＩ／Ｏポート５０６は、外付けであっても内蔵されていてもよい。
【００７１】
遊技制御用マイクロコンピュータ５６０においては、ＣＰＵ５６がＲＯＭ５４に格納されているプログラムにしたがって制御を実行する。したがって、以下に説明するような遊技制御用マイクロコンピュータ５６０が実行する（または、処理を行なう）ということは、具体的にはＣＰＵ５６がプログラムにしたがって制御を実行することである。このことは、遊技制御基板３１以外の他の基板に搭載されているマイクロコンピュータについても同様である。また、遊技制御手段は、ＣＰＵ５６を含む遊技制御用マイクロコンピュータ５６０で実現されている。
【００７２】
また、遊技制御用マイクロコンピュータ５６０は、クロック信号を発生させるクロック回路、システムリセット手段として機能するリセットコントローラ、乱数回路、および、ＣＰＵ５６に割込要求信号を送出するＣＴＣを内蔵する。
【００７３】
乱数回路は、特別図柄および飾り図柄の変動表示の表示結果により大当りとするか否かを判定するための判定用の乱数を発生するために用いられるハードウェア回路である。この乱数回路は、初期値（たとえば、０）と上限値（たとえば、６５５３５）とが設定された数値範囲内で、数値データを、設定された更新規則にしたがって更新させていき、ランダムなタイミングで発生する始動入賞時が数値データの読出（抽出）時であることに基づいて、読出される数値データが乱数値となる乱数発生機能を有する。
【００７４】
遊技制御用マイクロコンピュータ５６０は、第１始動口スイッチ１４ａまたは第２始動口スイッチ１４ｂへの始動入賞が生じたときに乱数回路から数値データを乱数値Ｒ１として読出し、その数値データに基づいて特定の表示結果としての大当り表示結果にするか否か、すなわち、大当りとするか否かを判定する。そして、大当りとすると判定したときに、遊技状態を遊技者にとって有利な特定遊技状態としての大当り遊技状態に移行させる。なお、乱数回路が発生させた乱数は、確変とするか否かを決定するための確変判定用乱数や、特別図柄の変動パターンを決定する変動パターン決定用乱数など、大当りとするか否かの判定以外の判定用乱数として用いてもよい。
【００７５】
乱数回路は、ユーザによる数値データの更新範囲の選択設定機能（初期値の選択設定機能、および、上限値の選択設定機能）、数値データの更新規則の選択設定機能、および、数値データの更新規則の選択切換え機能等の各種の機能を有する。このような機能により、乱数回路は、生成する乱数のランダム性を向上させることができる。
【００７６】
また、遊技制御用マイクロコンピュータ５６０は、乱数回路が更新する数値データの初期値を設定する機能を有しており、たとえば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路が更新する数値データの初期値として設定する。これにより、乱数回路が発生する乱数のランダム性をより向上させることができる。また、初期値を設定するときに、ＩＤナンバを用いた所定の演算を行なうことにより、遊技制御用マイクロコンピュータ５６０のＩＤナンバを見ただけでは乱数の初期値を認識しにくくすることができる。そのため、無線信号を用いた取込み信号をパチンコ遊技機１に対して発生させるなどの行為によって、大当り状態への移行条件を不正に成立させられてしまうことをより確実に防止することができ、セキュリティ性を向上させることができる。
【００７７】
クロック回路は、システムクロック信号をＣＰＵ５６に出力し、このシステムクロック信号を２の７乗（＝１２８）分周して生成した所定の周期の基準クロック信号ＣＬＫを、各乱数回路に出力する。リセットコントローラ５０２は、ローレベルの信号が一定期間入力されたとき、ＣＰＵ５６および各乱数回路に所定の初期化信号を出力して、遊技制御用マイクロコンピュータ５６０をシステムリセットする。
【００７８】
また、遊技制御用マイクロコンピュータ５６０は、発生可能な乱数の値の範囲が異なる２つの乱数回路を搭載する。第１の乱数回路は、１２ビットの疑似乱数を発生する乱数回路（以下、１２ビット乱数回路ともいう）である。１２ビット乱数回路は、１２ビットで発生できる範囲（すなわち、１から４０９５までの範囲）の値の乱数を発生する機能を備える。また、第２の乱数回路は、１６ビットの疑似乱数を発生する乱数回路（以下、１６ビット乱数回路ともいう）である。１６ビット乱数回路は、１６ビットで発生できる範囲（すなわち、１から６５５３５までの範囲）の値の乱数を発生する機能を備える。２つの乱数回路は、予め選択されたどちらか一方の回路が乱数の発生に用いられる。
【００７９】
なお、この実施の形態では、遊技制御用マイクロコンピュータ５６０が２つの乱数回路を内蔵する場合を説明するが、遊技制御用マイクロコンピュータ５６０は、１つの乱数回路を内蔵してもよく、３以上の乱数回路を内蔵してもよい。また、この実施の形態では、１２ビット乱数回路および１６ビット乱数回路を包括的に表現する場合、または、１２ビット乱数回路と１６ビット乱数回路とのうちいずれかを指す場合に、乱数回路という。
【００８０】
また、ＲＡＭ５５は、その一部または全部が電源基板９１０において作成されるバックアップ電源によってバックアップされている不揮発性記憶手段としてのバックアップＲＡＭである。すなわち、パチンコ遊技機１に対する電源電力の供給が停止したときである電源断時でも、所定期間（バックアップ電源としてのコンデンサが放電してバックアップ電源が電力供給不能になるまで）は、ＲＡＭ５５の一部または全部の内容は保存される。特に、少なくとも、遊技の制御状態に応じたデータ（特別図柄プロセスフラグ等）と未払出賞球数を示すデータとは、バックアップデータとして、ＲＡＭ５５に保存される。制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを、遊技の進行状態を示すデータと定義する。この実施の形態では、ＲＡＭ５５の全部の記憶領域が、電源バックアップされているとする。
【００８１】
遊技制御用マイクロコンピュータ５６０のリセット端子には、電源基板９１０からのリセット信号が入力される。また、払出制御用マイクロコンピュータのリセット端子にも、電源基板９１０からのリセット信号が入力される。なお、リセット信号がハイレベルになると遊技制御用マイクロコンピュータ５６０および払出制御用マイクロコンピュータは動作可能状態になり、リセット信号がローレベルになると遊技制御用マイクロコンピュータ５６０および払出制御用マイクロコンピュータは動作停止状態になる。したがって、リセット信号がハイレベルである期間は、遊技制御用マイクロコンピュータ５６０および払出制御用マイクロコンピュータの動作を許容する許容信号が出力されていることになり、リセット信号がローレベルである期間は、遊技制御用マイクロコンピュータ５６０および払出制御用マイクロコンピュータの動作を停止させる動作停止信号が出力されていることになる。なお、リセット回路をそれぞれの電気部品制御基板（遊技制御基板３１を含む）に搭載してもよいし、複数の電気部品制御基板のうち一つまたは複数にリセット回路を搭載し、そこからリセット信号を他の電気部品制御基板に供給するようにしてもよい。
【００８２】
さらに、払出制御基板３７を経由して、電源基板９１０からの電源電圧が所定値以下に低下したことを示す電源断信号が入力ドライバ回路５８に入力される。電源断信号は、入力ドライバ回路５８を介して、遊技制御用マイクロコンピュータ５６０の入力ポートに入力される。また、遊技制御用マイクロコンピュータ５６０の入力ポートには、ＲＡＭの内容をクリアすることを指示するためのクリアスイッチが操作されたことを示すクリア信号が入力ドライバ回路５８に入力される。クリア信号は、入力ドライバ回路５８を介して、遊技制御用マイクロコンピュータ５６０の入力ポートに入力される。
【００８３】
また、遊技制御用マイクロコンピュータ５６０は、払出制御基板３７を経由して、満タンスイッチ１９からの満タン信号が入力されたときに、前述した受皿ＬＥＤ３０２ａを発光させる旨を示す満タン信号を演出制御基板８０に送信する。
【００８４】
また、遊技制御用マイクロコンピュータ５６０は、大当り遊技状態以外の状態においてカウントスイッチ２３により球が検出されたとき、すなわち、例えば大当り遊技状態以外の状態において特別可変入賞球装置２０の開閉板が前述した不正器具等により遊技者にとって有利な開状態（第１の状態）とされてカウントスイッチ２３により球が検出されたときに、エラーが発生したとして、供給皿左ＬＥＤ３００ａ，供給皿右ＬＥＤ３００ｂを発光させる旨を示すエラー信号を演出制御基板８０に送信する。
【００８５】
また、クリア信号は、遊技制御基板３１において分岐され、払出制御基板３７にも供給される。なお、遊技制御用マイクロコンピュータ５６０が入力ポートを介して入力したクリア信号の状態を、出力ポートを介して払出制御基板３７に出力してもよい。
【００８６】
また、複数のスイッチのそれぞれは、入力ドライバ回路５８を介して、遊技制御用マイクロコンピュータ５６０の入力ポートに接続されている。これにより、遊技制御用マイクロコンピュータ５６０は、複数のスイッチのそれぞれから各スイッチの設定状態を示す設定検出信号を受ける。
【００８７】
遊技制御基板３１と演出制御基板８０との間には、演出制御コマンドを送信するための８本の信号線と、ストローブ信号を送信するための演出制御ＩＮＴ信号の信号線とが設けられている。
【００８８】
遊技制御用マイクロコンピュータ５６０は、演出制御基板８０に表示制御、音制御、および、ＬＥＤ制御を含む演出制御を指令するための制御信号としての演出制御コマンド（演出制御信号）を送信する。演出制御基板８０には、中継基板７７を介して遊技制御用マイクロコンピュータ５６０からの演出制御コマンドを受信し、変動表示装置９での表示制御を行なう演出制御用マイクロコンピュータ８１等の電気部品制御手段が搭載されている。
【００８９】
演出制御用マイクロコンピュータ８１は、表示制御用のプログラム等を記憶するＲＯＭ８４と、ワークメモリとして使用されるＲＡＭ８５と、プログラムにしたがって表示制御動作を行なうプロセッサであるＣＰＵ８６と、Ｉ／Ｏポート８７とを含む。この演出制御用マイクロコンピュータ８１は、演出制御コマンドに応じて、変動表示装置９の変動表示等の各種表示の演出に関する制御と、賞球ＬＥＤ５１、球切れＬＥＤ５２、装飾ＬＥＤ２５、天枠ＬＥＤ２８ａ、左枠ＬＥＤ２８ｂ、右枠ＬＥＤ２８ｃ、供給皿左ＬＥＤ３００ａ、供給皿右ＬＥＤ３００ｂ、供給皿前ＬＥＤ３０１ａ、受皿ＬＥＤ３０２ａの制御（ＬＥＤ制御）と、スピーカ２７を用いた遊技音発生制御（音制御）とを含む各種演出に関する制御を行なう。
【００９０】
演出制御用マイクロコンピュータ８１では、演出制御ＩＮＴ信号により示された取込みタイミングで、演出制御コマンドを受信する。そして、演出制御用マイクロコンピュータ８１では、受信した演出制御コマンドが示す演出に対応して行なうべき表示制御、音制御およびＬＥＤ制御をするために、変動表示装置９の表示制御を行なうとともに、スピーカ２７の駆動信号および各種ＬＥＤの駆動信号を出力する。このような構成においては、演出制御コマンドに基づいて演出制御が行なわれるときに、演出制御用マイクロコンピュータ８１により、変動表示装置９の表示制御に合せて、音制御およびＬＥＤ制御が行なわれる。つまり、演出制御用マイクロコンピュータにおいて、演出制御コマンドに基づいて変動表示装置９の表示制御を行なうとともに、その表示制御内容に対応する音制御およびＬＥＤ制御を行なうことにより、変動表示装置９の表示制御の演出に合せた（同期した）音制御およびＬＥＤ制御が行なわれるのである。
【００９１】
演出制御基板８０には、演出制御用マイクロコンピュータ８１の他に、ＶＤＰ、キャラクタＲＯＭ、および、ＶＲＡＭ（図示省略）が搭載されている。ＶＤＰは、画像表示を行なう表示制御機能および高速描画機能を有する処理装置であり、変動表示装置９の表示制御を行なう。ＣＰＵ８６は、受信した演出制御コマンドに従って、ＶＤＰに、表示制御用のコマンドに応じた画像表示をするための制御データを送信する。そして、そのように送信された制御データに従った画像表示をするために、ＶＤＰがキャラクタＲＯＭから必要なデータを読出す。キャラクタＲＯＭは、変動表示装置９に表示する画像データを予め格納しておくためのものである。
【００９２】
ＶＤＰは、ＣＰＵ８６とは独立した二次元のアドレス空間を持ち、そこにＶＲＡＭをマッピングしている。ＶＤＰは、キャラクタＲＯＭの画像データに従って、変動表示装置９に表示するための画像データを生成し、ＶＤＰはＶＲＡＭに画像データを展開する。ＶＲＡＭはＶＤＰによって生成された画像データを展開するためのフレームバッファメモリである。ＶＲＡＭに展開された画像データは、変動表示装置９に出力される。
【００９３】
演出制御用マイクロコンピュータ８１は、音声出力基板７０にスピーカ２７の駆動信号を出力することにより、スピーカ２７から効果音等の音声を出力させる制御を行なう。また、演出制御用マイクロコンピュータ８１は、ＬＥＤドライバ基板３５に各種発光手段の駆動信号を出力することにより、前述のような発光手段の制御を行なう。これにより、変動表示装置９での演出表示に対応して（同期して）、音の制御および発光制御が行なわれる。
【００９４】
また、演出制御用マイクロコンピュータ８１は、遊技制御基板３１から満タン信号を受信したときに、受皿ＬＥＤ３０２ａの駆動信号をＬＥＤドライバ基板３５に出力して受皿発光部３０２を発光させることにより、余剰球受皿４にパチンコ球が満タンになった旨を遊技者に報知する。尚、該満タン報知は、満タン信号の入力がなくなったことに基づいて受皿ＬＥＤ３０２ａを消灯することにより終了する。
【００９５】
また、演出制御用マイクロコンピュータ８１は、遊技制御基板３１からエラー信号を受信したときに、供給皿左ＬＥＤ３００ａ及び供給皿右ＬＥＤ３００ｂの駆動信号をＬＥＤドライバ基板３５に出力して供給皿左発光部３００Ｌ及び供給皿右発光部３００Ｒを発光させることにより、エラーが発生した旨を遊技場の店員等に報知する。尚、該エラー報知は、店員によるリセット操作が行われたことに基づいて供給皿左ＬＥＤ３００ａ及び供給皿右ＬＥＤ３００ｂを消灯することにより終了する。
【００９６】
なお、演出制御コマンドを送信するための信号線としては、前述の８本というようなパラレル信号線を用いる構成に代えて、１本の信号線、すなわち、シリアル信号線を用いる構成を採用してもよい。シリアル信号線を用いる場合には、演出制御コマンドをシリアルデータとし、そのシリアルデータの送信前にローレベル信号のスタートビットを送信し、そのシリアルデータの送信後にハイレベル信号のストップビットを送信する。このようなスタートビットとストップビットとにより演出制御コマンドの取込みタイミングが示されるので、演出制御用マイクロコンピュータ８１では、スタートビットとストップビットとの間に送信されたシリアルデータを演出制御コマンドとして受信する。
【００９７】
次に、前述した遊技制御基板３１を収納する基板収納ケース２００の詳細な構造について説明する。図４は、基板収納ケースを示す分解斜視図であり、図５は、（ａ）は図４の要部拡大斜視図であり、（ｂ）は（ａ）のケース本体の要部を示す平面図であり、図６は、基板収納ケース及び遊技制御基板の組み付け状態を示す分解斜視図であり、図７は、ケースカバーに対する遊技制御基板の取り付け状態を示す斜視図であり、図８は、配線側コネクタの接続状況を示す斜視図であり、図９は、コネクタ規制部材の取り付け状況を示す斜視図であり、図１０は、ケース本体とケースカバーとを閉鎖した状態を示す縦断面図であり、図１１は、基板収納ケースの封止状態を示す斜視図であり、図１２は、図１１のＡ−Ａ断面図であり、図１３は、基板収納ケースを示す一部破断側面図であり、図１４は、（ａ）は図１３のＢ−Ｂ断面図であり、（ｂ）は図１３のＣ−Ｃ断面図である。
【００９８】
基板収納ケース２００は、図４に示されるように、遊技制御基板３１の裏面側を覆うケース本体としてのケース本体２０１と、遊技制御基板３１の実装面３１ａ（図１０参照）側を覆うケースカバー２０２と、から構成され、遊技制御基板３１を挟持するように組み付けられるものである。尚、遊技制御基板３１の実装面３１ａには、特に詳細な図示はしないが、ＣＰＵ５６、ＲＡＭ５５、ＲＯＭ５４等の電子素や、他の基板から延出された配線の一端に設けられた配線側コネクタ等が接続される基板側コネクタ２３８ａ〜２３８ｃ等が多数実装されている。尚、本実施例においては、３つの基板側コネクタ２３８ａ〜２３８ｃが記載されているが、これら実装されるコネクタの実装数量は任意であり、実際には３つ以上のコネクタが実装されることがある。
【００９９】
また、基板収納ケース２００は、ケースカバー２０１の外側に装着され、後述する基板側コネクタ２３８ａ〜２３８ｃに接続される配線側コネクタ２９０ａ〜２９０ｃの抜脱を防止するためのコネクタ規制部材５００を備えている。尚、遊技制御基板３１は、後述するようにケースカバー２０２の裏面側に取り付けられた状態で基板収納ケース２００の内部に封止状態で収納されるようになっている。
【０１００】
ケース本体２０１は、透明な合成樹脂からなり、略長方形状に形成される底板２０１ａと、該底板２０１ａの周囲を囲むように形成された側壁２０３〜２０６と、により上面が開放する直方体状に成形されている。側壁２０５、２０６の内面には、図１１に示される封止状態（閉鎖状態）において遊技制御基板３１の裏面周囲を支持する上下方向を向く支持リブ２０７が複数形成されている。また、側壁２０３及び後述する閉塞壁２１６の内面における長手方向の中央位置には、ケースカバー２０２を位置決めするための上下方向を向く位置決め用リブ２７０が形成されている。
【０１０１】
一方の短辺の側壁２０３は、特に図５（ａ）に示されるように、長手方向の略中央に位置する中央側壁２０３ａと、該中央側壁２０３ａの左右側方に位置する膨出壁２０３ｂ，２０３ｃと、中央側壁２０３ａと膨出壁２０３ｂ，２０３ｃとを連接する連接壁２０３ｄと、により、平面視で略凹状に形成されている。つまり、これら膨出壁２０３ｂ，２０３ｃ及び連接壁２０３ｄにより、中央側壁２０３ａの長手方向の左右側には、本体内部側から外側に向けて膨出する平面視略長方形状をなす膨出部２０８ａ，２０８ｂが形成されている。
【０１０２】
膨出部２０８ａ，２０８ｂの内部は、ケース本体２０１の内部に形成される平面視略長方形状の基板収納空間Ｓ１（図５（ｂ）中２点鎖線で囲まれる領域）にそれぞれ連通する膨出空間Ｓ２，Ｓ３が形成されており、つまり内部が中空状に構成されており、一方の膨出部２０８ａの膨出空間Ｓ２内には、後述する複数（本実施例では３本）の予備用ワンウェイネジ２８１を収納するネジ収納部２０９が設けられている。
【０１０３】
ネジ収納部２０９は、図５（ｂ）に示されるように、ケース本体２０１の底板２０１ａから立設される側壁２０３よりも若干低い板状部２０９ａと、該板状部２０９ａの長手方向に向けて所定間隔おきに形成される複数の筒状部２０９ｂと、から構成される。各筒状部２０９ｂには、予備用ワンウェイネジ２８１のネジ部の直径よりも若干大径で、かつ、頭部の直径よりも小径の挿入孔２０９ｃが上方から所定深さ形成されており、挿入孔２０９ｃの上面開口から予備用ワンウェイネジ２８１を挿通して収納できるようになっている（図１４（ａ）参照）。
【０１０４】
板状部２０９ａは、その長手方向の両端が、それぞれ側壁２０６及び連接壁２０３ｄの内面に連設されているとともに、膨出壁２０３ｂに対して平行に、基板収納空間Ｓ１と膨出空間Ｓ２とを区画するように配設されている。また、膨出壁２０３ｂ，２０３ｃの下部には、後述するケースカバー２０２の係止爪２５１を係止可能な係止穴２１０がそれぞれ形成されている（図１４（ａ）参照）。
【０１０５】
予備用ワンウェイネジ２８１は、周知のように、一方向の回転によってネジを螺着することができるが、他方向に回転させようとしても回転させることができない、すなわち、そのネジを緩めることができない機能を有するネジである（図５参照）。具体的には、外周に雄ねじ部が形成されたネジ部２８３と、該ネジ部２８３の上端に設けられる頭部２８４と、から構成され、ネジ部２８３の直径よりも頭部２８４の直径の方が大径になっている（図１４（ａ）参照）。尚、ワンウェイネジ２８０も予備用ワンウェイネジ２８１と同様に構成されているため、ここでの詳細な説明及び図示は省略することとする。
【０１０６】
中央側壁２０３ａの外側には、後述するワンウェイネジ２８０が螺入される複数（本実施例では４つ）のネジ孔２１１ａ〜２１１ｄが形成される第２被固着部２１２が形成されている。被固着部２１２は、図５及び図１３に示されるように、中央側壁２０３ａの外側における両連接壁２０３ｄ，２０３ｄ間に架設されるとともに、ネジ孔２１１ａ〜２１１ｄが長手方向に向けて所定間隔おきに形成された固着片２１２ａと、該固着片２１２ａの下面における各ネジ孔２１１ａ〜２１１ｄに対応する箇所から垂下される筒状部２１２ｂと、から構成され、ネジ孔２１１ａ〜２１１ｄは、固着片２１２ａから筒状部２１２ｂにかけて所定深さに形成されている。
【０１０７】
固着片２１２ａは、中央側壁２０３ａ及び両連接壁２０３ｄに対向する３辺がそれぞれ側壁２０３に連設されているとともに、中央側壁２０３ａの反対側の長辺が、膨出壁２０３ｂ，２０３ｄと面一になるように形成されている。つまり、両サイドの膨出部２０８ａ，２０８ｂよりも外側に突出しないように形成されているため、誤ってケース本体２０１を落下した場合でも、第２被固着部２１２が両サイドの膨出部２０８ａ，２０８ｂにより保護されて損傷しないようになっている。
【０１０８】
他方の短寸の側壁２０４は、図４及び図１０に示されるように、その上端から内向きに連設される内向片２０４ａと、該内向片２０４ａの先端から下方に垂設される垂下片２０４ｂとが連設されており、これら側壁２０４、内向片２０４ａ及び垂下片２０４ｂの内面により、後述するケースカバー２０２の回動枢支片を係止する下向きに開口する被係止凹部２１５（図１０参照）が長手方向に向けて形成されている。
【０１０９】
また、図１０に示されるように、底板２０１ａにおける被係止凹部２１５の鉛直下方位置には開口が形成されているとともに、該開口端縁部からは、側壁２０４よりも高さが低い閉塞壁２１６が立設されており、封止状態においてケースカバー２０２の側壁下端と底板２０１ａの上面との間を外側から被覆できるようになっている。
【０１１０】
底板２０１ａの下面には、パチンコ機１に設けられる基板収納ケース取付板（図示略）に取り付ける際に、該基板収納ケース取付板に係止可能な複数の取付板用係止爪２１７と、取り付けの際における位置決め用の位置決め片２１８とが突設されている。
【０１１１】
ケースカバー２０２は、透明な合成樹脂からなり、図４及び図５（ａ）に示されるように、略長方形状に形成される上板２２０と、該上板２２０の周縁辺のうち３つの縁辺を囲むように形成された側壁２３０〜２３２とにより下面が開放する直方体状に形成されている。上板２２０における２つの長辺のうち一方側は、長手方向に向けて下方に凹設されており、上板２２０の一部に所定幅を有する帯状の凹部２３４が形成されている。
【０１１２】
具体的には、上板２２０は、図６及び図１２に示されるように、実装面３１ａとの対向面（裏面）が該実装面３１にほぼ当接する位置に設けられる低被覆面部２２０ａと、該低被覆面部２２０ａよりも実装面３１ａから離間した位置に設けられる高被覆面部２２０ｂと、低被覆面部２２０ａと高被覆面部２２０ｂとを連設する傾斜被覆面部２２０ｃと、から構成されており、低被覆面部２２０ａ及び傾斜被覆面部２２０ｃにより前記凹部２３４が形成されている。
【０１１３】
低被覆面部２２０ａは、図６に示されるように、平面視略長方形状に形成された遊技制御基板３１の実装面３１ａにおける一方の長辺に沿うように形成された帯状のコネクタ実装領域Ｓ１０（図６中斜線で示される領域）を被覆するとともに、該コネクタ実装領域Ｓ１０に実装された複数の基板側コネクタ２３８ａ〜２３８ｃの接続口２３８ｄ及び本体上部をそれぞれ挿通して外部に露呈（開放）可能とするコネクタ用開口２３６ａ〜２３６ｃが形成されている。
【０１１４】
また、低被覆面部２２０ａの裏面は、後述するように遊技制御基板３１が取り付けられた状態で、図１２に示されるように該遊技制御基板３１の実装面３１ａにほぼ当接するようになっており、コネクタ用開口２３６ａ〜２３６ｃを介して各種基板側コネクタ２３８ａ〜２３８ｃの接続口２３８ｄ及び本体側面の上部がケースカバー２０２の外部に露呈されるようになっている。尚、各コネクタ用開口２３６ａ〜２３６ｃは、これら開口端縁と各種コネクタ２３８ａ〜２３８ｃの本体側面との間から針金等の異物や配線等が容易に進入されることがないように、開口端縁と各種コネクタ２３８ａ〜２３８ｃの本体側面との間が例えば約１ｍｍ以内の隙間となるように形成されている。
【０１１５】
高被覆面部２２０ｂは、遊技制御基板３１の実装面３１ａにおけるコネクタ実装領域Ｓ１０以外のメイン部品実装領域（図中斜線で示される領域以外の領域）、つまり遊技制御用マイクロコンピュータ５６０等の電子部品や各種回路等が実装される領域の上方を被覆するため、低被覆面部２２０ａよりも高い位置、つまり低被覆面部２２０ａに比べて実装面３１ａから離れた位置に配置される。
【０１１６】
傾斜被覆面部２２０ｃは、高被覆面部２２０ｂの一側縁から低被覆面部２２０ａの一側縁に向けて下方に傾斜するように設けられているとともに、高被覆面部２２０ｂ側の上部位置には、後述するコネクタ規制部材５００に形成された複数の係止爪５０１それぞれが係合される複数の係合穴５０２が長手方向に向けて所定間隔おきに形成されている。
【０１１７】
上板２２０の裏面四隅には、図７に示されるように、遊技制御基板３１を取り付けるための基板取付ネジ２３９が取り付けられるネジ孔２４０ａを有する取付用支柱２４０が一方の対角線上に２つ突設されているとともに、取り付けの際に位置決め用の位置決め用凸部２４１が他方の対角線上に２つ突設されており、ケースカバー２０２の裏面側に遊技制御基板３１を取り付けできるようになっている。
【０１１８】
遊技制御基板３１を取り付けるには、遊技制御基板３１の実装面３１ａをケースカバー２０２の裏面に対向させた状態、つまり実装面３１ａを上方に向けた状態でケースカバー２０２の裏面側に押し当てる。そして、各コネクタ用開口２３６ａ〜２３６ｃから各コネクタ２３８ａ〜２３８ｃが挿通されるように、遊技制御基板３１における位置決め用凸部２４１に対応する２つの角部に形成された位置決め孔２４３をそれぞれ位置決め用凸部２４１内に挿通して位置決めした状態で、遊技制御基板３１の取付用支柱２４０に対応する２つの角部に形成されたネジ取付孔２４２に基板取付ネジ２３９を取り付け、ネジ孔２４０ａに基板取付ネジ２３９を螺入して取り付ける。
【０１１９】
このようにケースカバー２０２に遊技制御基板３１を取り付けた状態において、前述したように、上板２２０における低被覆面２２０ａの裏面と実装面３１ａとが対向してほぼ当接した状態となる（図１２参照）。これにより、各コネクタ用開口２３６ａ〜２３６ｃの開口端縁と各種コネクタ２３８ａ〜２３８ｃの本体側面との間から進入させた針金等の異物や配線等を、遊技制御用マイコン等が実装されている遊技制御基板３１の中央部に向けて差し込むことが困難となるため、ＲＯＭ５４等への不正行為が効果的に防止される。
【０１２０】
また、高被覆面２２０ｂの裏面所定箇所には、後述するワンウェイネジ２８０の頭部２８４を被覆するキャップ２４４が複数吊支されたキャップ吊支体２４５（図６中拡大図参照）を保持する四角柱状のキャップ保持部（図示略）が下向きに凸設されている。キャップ吊支体２４５に吊支されているキャップ２４４は、封止の際に使用するワンウェイネジ２８０及び予備用ワンウェイネジ２８１の頭部２８４を被覆するものであり、ワンウェイネジ２８０及び予備用ワンウェイネジ２８１の合計数（４個）のキャップを有している。
【０１２１】
尚、各キャップ２４４には下端に係止爪が形成された一対の係止片が設けられており、該係止爪を後述する被固着部２５５ａ〜２５５ｄの内面に形成された段部に係止することで、被固着部２５５ａ〜２５５ｄの上面開口を閉塞するように保持されるようになっている。
【０１２２】
上板２２０の上面には、図４に示されるように、パチンコ機１の機種名を記した機種名シール（図示略）を貼着するための機種名表示用凹部２４７が凹設されているとともに、遊技制御基板３１を検査した際に書き込む「検査者」や「検査日」等の各項目が記された検査履歴シール（図示略）を貼着するための検査名表示用凹部２４８が凹設されている。
【０１２３】
また、上板２２０表面には、各被固着部２５５ａ〜２５５ｄそれぞれに対応する箇所に、後述するようにワンウェイネジ２８０及びワンウェイネジ２８１を用いて第１被固着部２５５及び第２被固着部２１２とを固着する順番、つまり、各被固着部２５５ａ〜２５５ｄ及び各ネジ孔２１１ａ〜２１１ｄの使用順序を示す使用順番号（図４、図５中に示す「１，２，３，４」の白抜き数字参照）が印刷等により表示されている。
【０１２４】
側壁２３０におけるケース本体２０１側の膨出部２０８ａ，２０８ｂに対応する箇所には、膨出部２０８ａ，２０８ｂよりもそれぞれ一回り小さい膨出部カバー２５０ａ，２５０ｂが外側に向けて膨出するように形成されている。つまり、これら膨出部カバー２５０ａ，２５０ｂは、封止状態において膨出部２０８ａ，２０８ｂを構成する膨出壁２０３ｂ，２０３ｃ及び連接壁２０３ｄよりも内側に入り込み、膨出空間Ｓ２，Ｓ３の上方を閉塞するように構成されている。
【０１２５】
これら膨出部カバー２５０ａ，２５０ｂは、内部が中空状に形成されており、一方の膨出部カバー２５０ｂの内部空間は、側壁２３０によりケースカバー２０２における基板収納空間と区画されて独立した空間となっているとともに（図５参照）、他方の膨出部カバー２５０ａの内部空間は、側壁２３０における膨出部カバー２５０ａに対応する箇所が切り欠かれていることにより、ケースカバー２０２の基板収納空間と連通している（図１４（ａ）参照）。
【０１２６】
膨出部カバー２５０ａ，２５０ｂにおける膨出部２０８ａ，２０８ｂに形成された係止穴２１０に対応する壁部には、下端から上方に向けて切り欠かれた２本のスリットを介して弾性変形自在に構成された係止片２５２が形成されており、該係止片２５２の下端には、係止穴２１０に係止可能な外向きの係止爪２５１が形成されており、ケース本体２０１の上面をケースカバー２０２により閉鎖した状態、つまり封止状態において係止爪２５１が係止穴２１０に係止されるようになっている。
【０１２７】
また、図１４（ａ）に示されるように、前述したネジ収納部２０９に対応する膨出部カバー２５０ａの上壁裏面２５４には、膨出部カバー２５０ａの長手方向に向けて延びるネジ規制用リブ２５３が下方に向けて垂設されている（図５参照）。詳しくは、ネジ規制用リブ２５３は、ケース本体２０１の上面をケースカバー２０２により閉鎖した状態、つまり封止状態において、ネジ収納部２０９の板状部２０９ａの直上に該板状部２０９ａと平行をなすように配置されるように、膨出部カバー２５０ａの上壁裏面２５４における板状部２０９ａとの対向位置から下方に向けて垂設されている。つまり、上壁裏面２５４における挿入孔２０９ｃの上面開口との対向位置から、該挿入孔２０９ｃの上面開口に向けて鉛直方向に向けて所定長さ延設されており、その下端が挿入孔２０９ｃ内に挿入された各予備用ワンウェイネジ２８１の頭部２８４に近接する長さを有している。
【０１２８】
このように、上記封止状態において、膨出部カバー２５０ａの上壁裏面２５４から下方に向けて延設されたネジ規制用リブ２５３により、ネジ収納部２０９内に収納された予備用ワンウェイネジ２８１のネジ収納部２０９からの逸脱が防止されるようになっているため、ネジ収納部２０９から予備用ワンウェイネジ２８１が逸脱して基板収納空間Ｓ１内に入り込み、基板を損傷させてしまうこと等が確実に防止される。
【０１２９】
図５に示されるように、側壁２０３における両膨出部カバー２５０ａ，２５０ｂの間には、複数（本実施例では４つ）の四角筒状の被固着部２５５ａ〜２５５ｄが、ケース本体２０１の各ネジ孔２１１ａ〜２１１ｄに対向する箇所に複数形成されており、これら固着部により第１被固着部２５５が構成されている。
【０１３０】
各被固着部２５５ａ〜２５５ｄは、図１３，図１４（ｂ）に示されるように、ワンウェイネジ２８０及び予備用ワンウェイネジ２８１を挿通可能な四角柱状の筒状部２５６と、該筒状部２５６と側壁２３０とを連接する連接部２５７と、から構成されており、連接部２５７を介して筒状部２５６が側壁２３０から所定距離離間した状態で配置されているため、連接部２５７をニッパ等の工具で切断できるようになっている。また、連設部２５７は、ケースカバー２０２の一側縁である側壁２３０の外面から外方に向けて複数突設されており、各連設部２５７の先端に被固着部２５５ａ〜２５５ｄが設けられている。
【０１３１】
筒状部２５６は、上面が開口する有底の筒体であり、内部にワンウェイネジ２８０を収納可能な大きさを有しているとともに、底板２５８には、ワンウェイネジ２８０の頭部２８４の直径よりも小径の取付孔２５９が形成されている。この取付孔２５９は、封止状態において、各ネジ孔２１１ａ〜２１１ｄの対向位置に配置されるようになっている。
【０１３２】
図４及び図１０に示されるように、ケース本体２０１側の被係止凹部２１５が形成されている側壁２０４に対応する側壁２３１には、先端に被係止凹部２１５に係止可能な上向きの係止条２６０が長手方向に向けて延設された係止片２６１が外方に向けて延設されている。
【０１３３】
このように構成されたケース本体２０１及びケースカバー２０２は、ケース本体２０１の上面開口をケースカバー２０２により閉塞した状態において、ケース本体２０１の側壁２０５の内面と、ケースカバー２０２の低被覆面部２２０ａにおける側壁２０５の内面との対向辺である長辺２２０ｄ（図８参照）端面との間に、後述する垂直板５００ｂが挿通可能な間隙部５０５が、側壁２０５の内面に沿って形成されるようになっている（図１２参照）。
【０１３４】
次に、コネクタ規制部材５００の構造について説明する。図９に示されるように、コネクタ規制部材５００は、透明な合成樹脂材からなる板部材にて形成されており、ケースカバー２０２の外側に装着可能に構成されている。板材の幅寸法は、ケースカバー２０２の長辺２０２ｄにおける長手方向の幅寸法よりも若干短寸の幅寸法を有している。具体的に説明すると、コネクタ規制部材５００は、装着時においてケースカバー２０２における低被覆面２２０ａよりも若干大きめに形成される上板５００ａと、該上板５００ａの外端から下方に向けて延設される垂直板５００ｂと、該垂直板５００ｂの下端から上板５００ａと平行をなすように同方向に延設される下板５００ｃと、から側面視略コ字形に形成されている。
【０１３５】
上板５００ａにおける長辺５００ｄには、前述した複数の係合穴５０２それぞれに差し込み可能に、かつ、弾性変形可能に構成されるとともに、先端に上向きの係止爪５０１が形成された係止片が該上板５００ａとほぼ平行をなすように突設されており、該係止片を係合穴５０２からケースカバー２０２内に挿通した状態において、ケースカバー２０２の裏面における係合穴５０２の上縁に係止爪５０１が係止されるようになっている。
【０１３６】
上板５００ａには、前述した各配線側コネクタ２９０ａ〜２９０ｃから延出された配線２９１ａ〜２９１ｃを挿通可能な細長長方形状の配線挿通用開口５０３ａ〜５０３ｃが長手方向に向けて形成されているとともに、各配線挿通用開口５０３ａ〜５０３ｃからは、各配線２９１ａ〜２９１ｃを挿通可能な配線挿通用スリット５０４ａ〜５０４ｃが長辺５００ｄに向けて延設されている。
【０１３７】
各配線２９１ａ〜２９１ｃは、複数本のケーブルを列状に並設することにより帯状に束ねて形成されてなるいわゆるフラットケーブルであるため、配線挿通用開口５０３ａ〜５０３ｃ及び配線挿通用スリット５０４ａ〜５０４ｃは横長長方形状に形成されている。詳しくは、配線挿通用開口５０３ａ〜５０３ｃは、長辺及び短辺が、配線側コネクタ２９０ａ〜２９０ｃ本体の長辺及び短辺よりも短寸に形成され、配線側コネクタ２９０ａ〜２９０ｃを挿通不可能であり、かつ、配線２９１ａ〜２９１ｃを挿通可能に形成されている。また、配線挿通用スリット５０４ａ〜５０４ｃは、配線２９１ａ〜２９１ｃを該配線挿通用スリット５０４ａ〜５０４ｃに対して平行な姿勢とした状態で長辺５００ｄ側から差し込み可能な幅寸法に形成されている。
【０１３８】
よって、各配線２９１ａ〜２９１ｃは、長辺５００ｄ側から配線挿通用スリット５０４ａ〜５０４ｃ内に差し込んで配線挿通用開口５０３ａ〜５０３ｃまで引き込むことで、配線挿通用開口５０３ａ〜５０３ｃ内に配置することができるようになっている。
【０１３９】
また、これら配線挿通用スリット５０４ａ〜５０４ｃは、配線挿通用開口５０３ａ〜５０３ｃの開口長縁辺に対して傾斜するように、かつ、互いに平行に形成されているとともに、該開口長縁辺における長手方向の中央位置から長辺５００ｄ側に向けて斜めに延設されている。これにより、配線挿通用スリット５０４ａ〜５０４ｃを介して引き込んだ配線２９１ａ〜２９１ｃを、配線挿通用開口５０３ａ〜５０３ｃ内に斜めに進入させることができるため、配線挿通用開口５０３ａ〜５０３ｃ内にスムーズに進入させることができる。
【０１４０】
また、開口長縁辺の長手方向の中央位置から配線挿通用スリット５０４ａ〜５０４ｃが延設されていることで、配線挿通用開口５０３ａ〜５０３ｃ内に配線２９１ａ〜２９１ｃを配置した状態において、該配線２９１ａ〜２９１ｃの列方向の両端が配線挿通用スリット５０４ａ〜５０４ｃとの連設部から離れるため、配線２９１ａ〜２９１ｃが配線挿通用スリット５０４ａ〜５０４ｃ内に逆戻りすることがない。すなわち、配線挿通用スリット５０４ａ〜５０４ｃは、配線挿通用開口５０３ａ〜５０３ｃの一辺よりも幅狭であることが望ましい。
【０１４１】
下板５００ｃは、垂直板５００ｂの下端から上板５００ａと同方向に向けて延設されており、その延設幅は、遊技制御基板３１の短辺の幅寸法よりも若干短寸とされている。つまり、遊技制御基板３１の裏面３１ｂ（実装面３１ａの反対面）ほぼ全域を被覆可能な長さとされている（図１２参照）。
【０１４２】
このように形成されたコネクタ規制部材５００は、上記のように、基板側コネクタ２３８ａ〜２３８ｃに接続された配線側コネクタ２９０ａ〜２９０ｃから延設される各配線２９１ａ〜２９１ｃを、配線挿通用スリット５０４ａ〜５０４ｃを介して配線挿通用開口５０３ａ〜５０３ｃ内を挿通させた後、ケースカバー２０２に対して側方から近接させ、係止爪５０１を係合穴５０２に差し込んで一端をケースカバー２０２に係止させることで、ケースカバー２０２に対して仮止めすることができる。
【０１４３】
この状態において、上板５００ａにより低被覆面部２２０ａの上方および外側方が上板５００ａ及び垂直板５００ｂにより被覆されるとともに、遊技制御基板３１の裏面３１ｂが下板５００ｃにより被覆される。
【０１４４】
次に、このように構成されたケース本体２０１及びケースカバー２０２により、遊技制御基板３１を内部に収納して封止状態とするとともに、コネクタ規制部材５００により配線側コネクタ２９０ａ〜２９０ｃの抜脱を規制する状況を説明する。
【０１４５】
遊技制御基板３１を封止状態で収納するには、まず、ケースカバー２０２の裏面に設けられたキャップ保持部（図示略）に、キャップ吊支体２４５を取り付けた後、遊技制御基板３１をケースカバー２０２の裏面側に取り付ける。具体的には、図７に示されるように、遊技制御基板３１の実装面３１ａをケースカバー２０２の裏面に対向させた状態、つまり実装面３１ａを上方に向けた状態でケースカバー２０２の裏面側に押し当てる。そして、各コネクタ用開口２３６ａ〜２３６ｃに各基板側コネクタ２３８ａ〜２３８ｃが挿通されるように、遊技制御基板３１における位置決め用凸部２４１に対応する２つの角部に形成された位置決め孔２４３をそれぞれ位置決め用凸部２４１内に挿通して位置決めした状態で、遊技制御基板３１の取付用支柱２４０に対応する２つの角部に形成されたネジ取付孔２４２に基板取付ネジ２３９を取り付け、ネジ孔２４０ａに基板取付ネジ２３９を螺入して取り付ける。
【０１４６】
図８に示されるように、遊技制御基板３１をケースカバー２０２の裏面側に取り付けた状態において、各コネクタ用開口２３６ａ〜２３６ｃからは、各基板側コネクタ２３８ａ〜２３８ｃ本体上部がケースカバー２０２の外部に露呈される。つまり、各基板側コネクタ２３８ａ〜２３８ｃの本体上面に形成された接続口２３８ｄがケースカバー２０２の外部に上向きに開放されるため、ケースカバー２０２に配線側コネクタ２９０ａ〜２９０ｃを挿通させたりすることなく、各基板側コネクタ２３８ａ〜２３８ｃの接続口２３８ｄに各配線側コネクタ２９０ａ〜２９０ｃを差し込んで接続することができる。
【０１４７】
次いで、図９に示されるように、各基板側コネクタ２３８ａ〜２３８ｃに接続された各配線側コネクタ２９０ａ〜２９０ｃから延設される各配線２９１ａ〜２９１ｃを、長辺５００ｄ側から配線挿通用スリット５０４ａ〜５０４ｃ内に差し込み、配線挿通用開口５０３ａ〜５０３ｃ内を挿通させた後、ケースカバー２０２に対して側方から近接させ、係止爪５０１を係合穴５０２に差し込んで一端をケースカバー２０２に係止させることで、ケースカバー２０２に対して仮止めする。
【０１４８】
このように、各基板側コネクタ２３８ａ〜２３８ｃに各配線２９１ａ〜２９１ｃの配線側コネクタ２９０ａ〜２９０ｃを接続した状態で、各配線２９１ａ〜２９１ｃを配線挿通用開口５０３ａ〜５０３ｃに簡単に挿通させることができる。また、配線２９１ａ〜２９１ｃにおける配線側コネクタ２９０ａ〜２９０ｃとは反対側の端部に設けられる配線側コネクタ（図示略）等を、配線挿通用開口５０３ａ〜５０３ｃに挿通させる必要がないばかりか、例えば、配線２９１ａ〜２９１ｃにおける配線側コネクタ２９０ａ〜２９０ｃとは反対側の端部が図示しない他の基板に対してコネクタ等を介さずに直接接続されている場合であっても、配線側コネクタ２９０ａ〜２９０ｃを配線挿通用開口５０３ａ〜５０３ｃに挿通させる必要がなく、上板５００ａに大きな開口を形成しなくて済むため、コネクタ規制部材５００の強度低下が防止される。
【０１４９】
一方、ケース本体２０１の方は、図６に示されるように、ネジ収納部２０９の挿入孔２０９ｃ内に、予備用ワンウェイネジ２８１を収納しておく。このとき、各挿入孔２０９ｃの上面開口の上方からネジ部２８３を挿入孔２０９ｃ（図５（ｂ）参照）内に挿通するだけで、簡単に収納することができる。この収納状態において、ネジ部２８３は挿入孔２０９ｃ内に完全に収納され、頭部２８４のみが挿入孔２０９ｃの上面開口から外部に突出された状態で保持されているため（図１４（ａ）参照）、これら収納された予備用ワンウェイネジ２８１を使用する際において、頭部２８４を手で摘むだけで簡単に取り出すことができる。
【０１５０】
次いで、遊技制御基板３１が一体的に取り付けられるとともに、コネクタ規制部材５００が外側に仮止めされたケースカバー２０２により、ケース本体２０１の上面開口を閉鎖する。具体的には、図１０に示されるように、ケースカバー２０２の一方の短辺から外方に向けて突設された係止片２６０が下を向くようにケースカバー２０２を傾斜させた状態、すなわち、遊技制御基板３１の裏面３１ｂをケース本体２０１に対向させた状態で、ケース本体２０１における閉塞壁２１６の上端と垂下片２０４ｂの下端との間に係止片２６０を差し込む。そして、係止条２６０を被係止凹部２１５内に係止させた状態で、該係止部を中心としてケースカバー２０２を図中矢印方向に向けて向けて回転させ、ケースカバー２０２をケース本体２０１の側壁２０３〜２０６により囲まれた空間内に嵌め込む。
【０１５１】
ここで、ケース本体２０１の膨出部２０８ａ，２０８ｂの膨出空間Ｓ２，Ｓ３内に膨出部カバー２５０ａ，２５０ｂが嵌め込まれて、両係止爪２５１がそれぞれ係止穴２１０の開口上端縁に係止される。これにより、ケースカバー２０２の一方の短辺側が係止条２６０と被係止凹部２１５とにより係止されるとともに、他方の短辺側が係止爪２５１と係止孔２５１とにより係止され、ケースカバー２０２がケース本体２０１に対して仮止めされる。尚、この状態では、係止穴２１０の外方からそれぞれの係止爪２５１を内側に向けて押し込むことで係止状態を解除することで、ケースカバー２０２を簡単に開放させることができる。
【０１５２】
この状態において、膨出部カバー２５０ａの上壁裏面２５４から下方に向けて延設されたネジ規制用リブ２５３の下端が、ネジ収納部２０９に収納された３本の予備用ワンウェイネジ２８１の頭部２８４に近接した状態で配置されるため、予備用ワンウェイネジ２８１がネジ収納部２０９から逸脱して基板収納空間Ｓ１内に入り込み、遊技制御基板３１の配線パターン等を傷つけて断線させてしまうこと等が防止される。
【０１５３】
また、ケースカバー２０２の各側壁２３０〜２３３の下端が、ケース本体２０１の側壁２０３〜２０６の上端よりも下方に深く入り込んだ状態となるため、ケース本体２０１とケースカバー２０２との間から針金等の異物を進入しにくくなる。
【０１５４】
また、ネジ収納部２０９は、膨出部２０８ａの膨出空間Ｓ２内に設けられているため、遊技制御基板３１が基板収納空間Ｓ１内におけるネジ収納部２０９の上端よりも下方位置に配置された状態においても（図１４（ｂ）参照）、ネジ収納部２０９と干渉することがない。
【０１５５】
また、図１２に示されるように、ケース本体２０１の側壁２０５の内面とケースカバー２０２の低被覆面部２２０ａの長辺２２０ｄとの間に形成される間隙部５０５に、コネクタ規制部材５００の垂直板５００ｂが差し込まれた状態で配置されるとともに、下板５００ｃの下面全域がケース本体２０１の底板２０１ａ上面に載置される。これにより、コネクタ規制部材５００がケース本体２０１に対して安定的に保持されるとともに、遊技制御基板３１の裏面３１ｂが下板５００ｃにより被覆される。
【０１５６】
つまり、ケースカバー２０２に対して係止爪５０１を介して一端側が係止されたコネクタ規制部材５００は、その一部を構成する他端側の下板５００ｃ及び垂直板５００ｂの下部がケース内部に配置されることになる。
【０１５７】
さらにこの状態において、ケース本体２０１の第２被固着部２１２の上方に、ケースカバー２０２の第１被固着部２５５が配置される。詳しくは、固着片２１２ａの上面に各被固着部２５５ａ〜２５５ｄが載置されると、各ネジ孔２１１ａ〜２１１ｄと各取付孔２５９とが合致し、ワンウェイネジ２８０を挿通可能な状態となる。ここで、４つの被固着部２５５ａ〜２５５ｄのうち、いずれか１つの筒状部２５６（ここでは前述したようにケースカバー２０２に表示されている使用順番号「１」に対応する被固着部２５５ｄの筒状部２５６）の上面開口からワンウェイネジ２８０を挿入し、ネジ部２８３の先端を取付孔２５９に差し込んだ状態で、マイナスドライバー等の工具によりワンウェイネジ２８０を時計回りにねじ込む（図５参照）。
【０１５８】
これにより、図１３に示されるように、ネジ部２８３の外周に形成された雄ねじのねじ切り作用により、ネジ部２８３が取付孔２５９を貫通して、固着片２１２ａ及び筒状部２１２ｂ内に貫通形成されたネジ孔２１１ａ内に螺入され、固着片２１２ａ及び被固着部２５５ｄ、つまり第２被固着部２１２と第１被固着部２５５とがワンウェイネジ２８０を介して固着（カシメ）される。
【０１５９】
すなわち、ケースカバー２０２は、一方の短辺側が係止条２６０が被係止凹部２１５により係止され、他方の短辺側がワンウェイネジ２８０を介して固着されていることにより、ケース本体２０１に対してケースカバー２０２が開放不能に固着され、遊技制御基板３１は、実装面３１ａ及び裏面３１ｂがこれらケース本体２０１及びケースカバー２０２により被覆された状態で、基板収納ケース２００内に封止状態で収納される。
【０１６０】
尚、ワンウェイネジ２８０を完全にねじ込んだ後、その上方から、所定の色に着色された色付接着剤Ｚを筒状部２５６内に注入した後、キャップ２４４を筒状体２５５ｄの上面開口に嵌め込んで、頭部２８４の上面に形成された溝等を被覆することにより、ワンウェイネジ２８０を取り外しにくくすることができる。
【０１６１】
さらに、透明な合成樹脂材からなる筒状部２５６内に色付接着剤Ｚが注入されることで、ワンウェイネジ２８０に対する何らかのアクセスがあった場合において、色付接着剤Ｚが抉り取られた痕跡等が色により視認しやすくなるため、透明な筒状部２５６外部からでも不正行為の痕跡を発見しやすくなる。
【０１６２】
また、この封止状態を解除してケースカバー２０２を開放しようとする場合、前述したようにワンウェイネジ２８０を反時計回りに回して取り外すことはできないため、ケース本体２０１またはケースカバー２０２の一部を破壊するか、あるいは、連接部２５７をニッパ等の工具により切断し、固着片２１２ａにワンウェイネジ２８０を介して固着されている被固着部２５５ａの筒状部２５６をケースカバー２０２から切り離すしかない。
【０１６３】
つまり、破壊または切断のいずれの方法をとるにせよ、封止状態を解除してケースカバー２０２を開放した場合には、破壊または切断の痕跡が残ることになるため、例えば不正行為によりケースカバー２０２が開放された場合でも、早期のうちに不正行為が行われたことを発見することができる。これにより、万が一不正な遊技プログラムが格納されたＲＯＭを有する遊技制御基板等にすりかえられた場合でも、早期に発見して対処することができるため、その状態で遊技が行われて遊技店が不利益を被ることを回避することができる。
【０１６４】
また、ワンウェイネジ２８０によりケース本体２０１に対してケースカバー２０２が開放不能に固着された封止状態とされることで、ケースカバー２０２の外側に仮止めされたコネクタ規制部材５００が、ケースカバー２０２から離脱不能に保持されるとともに、基板側コネクタ２３８ａ〜２３８ｃに接続された配線側コネクタ２９０ａ〜２９０ｃの抜脱が上板５００ａとの当接により規制される。
【０１６５】
具体的には、図１２に示されるように、ケース本体２０１に対してケースカバー２０２が開放不能に固着された封止状態において、コネクタ規制部材５００は、下板５００ｃが遊技制御基板３１の裏面３１ｂを被覆するようにその下方に配置されることにより、その上方への移動が、ケース本体２０１に固着されたケースカバー２０２の裏面側に取り付けられた遊技制御基板３１との当接により規制される。
【０１６６】
また、下板５００ｃから上向きに連設された垂直板５００ｂが、ケースカバー２０２の長辺２２０ｄとケース本体２０１の側壁２０５内面とに挟持されるとともに、係止爪５０１が係合穴５０２に係止されることで、ケース本体２０１の底板２０１ａ上でのスライド移動が規制されるとともに、上板５００ａの変形も防止される。特に、垂直板５００ｂの外面が側壁２０５の内面に上下方向にわたり密着した状態で保持されるため、垂直板５００ｂの外側への変形も防止される。つまり、下板５００ｃ，垂直板５００ｂ，ケースカバー２０２の長辺２２０ｄ及び側壁２０５は、本発明の規制部材保持手段を構成している。
【０１６７】
このように、コネクタ規制部材５００の上方及び水平方向の移動が規制されることで、コネクタ規制部材５００のケースカバー２０２からの離脱が防止され、安定して基板収納ケース２００に保持される。そして、このように基板収納ケース２００に保持されたコネクタ規制部材５００の上板５００ａにより、ケースカバー２０２における低被覆面部２２０ａの上面が被覆されるとともに、垂直板５００ｂの上部，傾斜被覆面部２２０ｃ，ケースカバー２０２の一部により低被覆面部２２０ａの上方側周面が被覆されることで、基板側コネクタ２３８ａ〜２３８ｃ及び配線側コネクタ２９０ａ〜２９０ｃが外部から遮断されるため、これらコネクタの接続部に対する不正行為が防止される。
【０１６８】
また、図１２に示されるように、基板側コネクタ２３８ａ〜２３８ｃに接続された配線側コネクタ２９０ａ〜２９０ｃの上方近傍に上板５００ａが配置されることで、配線側コネクタ２９０ａ〜２９０ｃを基板側コネクタ２３８ａ〜２３８ｃから抜脱しようとする際に、配線側コネクタ２９０ａ〜２９０ｃの本体上面における配線２９１ａ〜２９１ｃの延出部周囲が、上板５００ａの裏面における配線挿通用開口５０３ａ〜５０３ｃの周囲（当接規制部）に当接される。すなわち、配線側コネクタ２９０ａ〜２９０ｃの抜脱方向への移動が上板５００ａにより当接規制されるため、基板側コネクタ２３８ａ〜２３８ｃに正規以外の不正部品が接続された配線が接続されることを効果的に防止できる。
【０１６９】
また、封止状態において、下板５００ｃは遊技制御基板３１の裏面３１ｂを被覆可能な大きさに形成されていることで、裏面３１ｂに形成された配線パターン等に対する不正行為も抑制できるとともに、安定性も向上する。尚、このように本実施例では、下板５００ｃは遊技制御基板３１の裏面３１ｂを被覆可能な大きさに形成されていたが、コネクタ規制部材５００の上方への移動を遊技制御基板３１の裏面３１ｂとの当接により規制可能な長さを有していれば、裏面３１ｂ全域を被覆可能な大きさに形成されていなくてもよい。
【０１７０】
次に、第２被固着部２１２と第１被固着部２５５とをワンウェイネジ２８０を介して固着して封止状態を構成した後、遊技制御基板３１の故障や検査等により遊技制御基板３１を取り出すために封止状態を解除し、再度封止状態とする場合について説明する。
【０１７１】
尚、このようにネジ孔２１１ａ〜２１１ｄ及び被固着部２５５ａ〜２５５ｄを複数形成し、繰り返し封止状態とすることができるようにするのは、例えばメーカーが遊技制御基板３１を遊技店等に出荷する際に、遊技制御基板３１を基板収納ケース２００内に封止状態で収納するために、１つのネジ孔２１１ａ〜２１１ｄ及び被固着部２５５ａ〜２５５ｄを使用した後、遊技店において、上記のように遊技制御基板３１が故障して交換する場合や検査等を行うために遊技制御基板３１を取り出す場合等において、封止状態を解除することがある。その後再度封止状態とする際に他のネジ孔２１１ａ〜２１１ｄ及び被固着部２５５ａ〜２５５ｄを使用するため、これらが第２被固着部２１２及び第１被固着部２５５が複数必要となる。
【０１７２】
まず、ケースカバー２０２を開放したときに、キャップ吊支体２４５からキャップ２４４を１つ分離して取り出しておくとともに、ネジ収納部２０９から予備用ワンウェイネジ２８１を１本取り出しておく。そして、前述と同様に、ケース本体２０１の上面開口をケースカバー２０２により閉鎖する。ここで、まだ連接部２５７が切断されていない被固着部２５５ｂ〜２５５ｄのうちいずれかの筒状部（例えば前述した使用順番号「２」に対応する被固着部２５５ｂ）に予備用ワンウェイネジ２８１を挿入し、ネジ孔２１１ｂに螺入することで、前述と同様に第２被固着部２１２と第１被固着部２５５とを固着して封止状態を構成することができる。
【０１７３】
このように、第２被固着部２１２としてのネジ孔２１１ａ〜２１１ｄ及び第１被固着部２５５としての被固着部２５５ａ〜２５５ｄが複数設けられているため、ケース本体２０１やケースカバー２０２の一部を破壊することなく連接部２５７を切断するだけで、基板収納ケース２００を交換すること等なく、封止状態を解除した後でも、封止状態を複数回繰り返し構成することができる。
【０１７４】
以上説明したように、本発明の実施例１としての基板収納ケース２００にあっては、遊技制御基板３１をケースカバー２０２の裏面に取り付けることにより、基板側コネクタ２３８ａ〜２３８ｃがコネクタ用開口２３６ａ〜２３６ｃを介してケースカバー２０２の外部に開放されるとともに、該開放された基板側コネクタ２３８ａ〜２３８ｃに配線側コネクタ２９０ａ〜２９０ｃを接続した状態で、ケースカバー２０２の外側にコネクタ規制部材５００を仮止めして基板収納ケース２００に保持することで、配線側コネクタ２９０ａ〜２９０ｃの抜脱が当接規制部としての上板５００ａにより当接規制される。このように、ケースカバー２０２に、基板側コネクタ２３８ａ〜２３８ｃに接続された配線側コネクタ２９０ａ〜２９０ｃと反対側の配線側コネクタ（図示略）を挿通するための大きな挿通口等を形成しなくても、ケースカバー２０２の外側にコネクタ規制部材５００を装着することができるため、コネクタ規制部材５００の強度低下が防止される。
【０１７５】
また、下板５００ｃは、封止状態とされたケース本体２０１及びケースカバー２０２により被覆されることで、封止状態を解除するかコネクタ規制部材５００またはケース２００の一部を破壊しない限りコネクタ規制部材５００の保持状態を解除することができなくなり、これにより基板収納ケース２００の一部を破壊したり封止状態を解除して配線側コネクタ２９０ａ〜２９０ｃを抜脱した際にはその痕跡が残り、不正が行われた可能性があることを確実に発見することができるようになる。
【０１７６】
また、本実施例では、封止状態においてケース内部に配置される下板５００ｃが規制部材保持手段として機能するため、例えば前述したワンウェイネジ等の特殊な保持部材等を用いてコネクタ規制部材５００をケースカバー２０２に保持したり、保持構造を複雑化することなく、ケースカバー２０２及びケース本体２０１を封止状態とするだけでケースカバー２０２に簡単に装着できるため、基板側コネクタ２３８ａ〜２３８ｃに正規以外の不正部品が接続された配線が接続されることを効果的に防止できる。
【０１７７】
また、コネクタ規制部材５００の一部は、複数の配線側コネクタ２９０ａ〜２９０ｃを当接規制することが可能な１枚の上板５００ａにて構成されているため、複数の配線側コネクタ２９０ａ〜２９０ｃそれぞれに対応する複数の当接規制部を個別に形成する必要がないとともに、複数の配線側コネクタ２９０ａ〜２９０ｃをまとめて当接規制することができるため、保持作業の手間が軽減される。
【０１７８】
さらに、配線側コネクタ２９０ａ〜２９０ｃの抜脱方向への移動を当接規制するだけでなく、これらの上方が被覆されるため、基板側コネクタ２３８ａ〜２３８ｃと配線側コネクタ２９０ａ〜２９０ｃとの接続部に対する不正行為が困難となるとともに、コネクタ規制部材５００に配線側コネクタ２９０ａ〜２９０ｃを挿通するための大きな挿通口等を形成する必要がないので、強度低下が防止される。
【０１７９】
また、コネクタ規制部材５００の一部は、封止状態において間隙部５０５に配置される垂直板５００ｂと、離脱方向への移動が遊技制御基板３１により当接規制される下板５００ｃと、から構成されることで、ネジ等の保持部材を使用することなく、垂直板５００ｂを間隙部５０５に差し込んだ状態で封止状態とするだけで、係止部としての下板５００ｃの係止作用により垂直板５００ｂの抜脱方向への移動が規制されてケースに保持されるため、コネクタ規制部材５００の装着作業が容易になる。
【０１８０】
コネクタ規制部材５００には、ケースカバー２０２に形成された係止穴５０２に係合可能な係止爪５０１が形成されているため、係止爪５０１が係合穴５０２に係合されることで、コネクタ規制部材５００の上板５００ａが変形や破損しにくくなるので、上板５００ａを変形させて配線側コネクタ２９０ａ〜２９０ｃをケースカバー２０２との間に形成される隙間から抜脱すること等を確実に防止することができる。
【０１８１】
また、遊技制御基板３１の実装面３１ａにおけるコネクタ用開口２３６ａ〜２３６ｃ近傍が低被覆面２２０ａにより被覆されることで、コネクタ用開口２３６ａ〜２３６ｃと基板側コネクタ２３８ａ〜２３８ｃとの間に形成される隙間から不正器具等を挿入しにくくなるので、遊技制御基板３１に対する不正行為を防止することができる。
【０１８２】
また、ケースカバー２０２に凹部２３４が形成され、コネクタ規制部材５００は該凹部２３４に装着されるようにしたことで、装着状態においてコネクタ規制部材５００がケースカバー２０２から大きく突出することがないので、パチンコ機１に配設された状態等において、コネクタ規制部材５００が邪魔になることがない。
【０１８３】
また、コネクタ規制部材５００は、透明な合成樹脂材にて構成されているため、基板収納ケース２００内の視認性がコネクタ規制部材５００により損なわれることがないので、遊技制御基板３１の監視に支障をきたすことがない。
【０１８４】
また、複数のうち少なくとも一対の第１被固着部としてのネジ孔２１１ａ〜２１１ｄ及び第２被固着部としての被固着部２５５ａ〜２５５ｄ同士を固着部材としてのワンウェイネジ２８０により固着することで、遊技制御基板３１を封止状態とすることができるとともに、基板収納ケース２００を破壊するかもしくは固着されたネジ孔２１１ａ〜２１１ｄの連接部２５７を切断することで、封止状態を解除してケースカバー２０２を開放することができる。さらに連接部を切断するなどして封止状態を解除した後でも、未使用の一対のネジ孔２１１ａ〜２１１ｄ及び被固着部２５５ａ〜２５５ｄ同士を予備用ワンウェイネジ２８１により固着することで、再度遊技制御基板３１を封止状態でケース内部に収納することができる。
【０１８５】
また、基板収納ケース２００を開放することにより、ネジ収納部２０９の挿入孔２０９ｃの上面開口が開放されるため、予備用ワンウェイネジ２８１をネジ収納部２０９に簡単に収納及び取り出すことができるとともに、ネジ収納部２０９に収納された予備用ワンウェイネジ２８１は、遊技制御基板３１の封止状態においてネジ収納部２０９からの逸脱が、規制部としてのネジ規制用リブ２５３の下端との当接により規制されるため、逸脱した予備用ワンウェイネジ２８１により遊技制御基板３１が損傷することを防止できる。
【０１８６】
さらに、ネジ規制用リブ２５３が、膨出部カバー２５０ａの上壁裏面２５４からネジ収納部２０９の挿入孔２０９ｃの上面開口に向けて下方に延設されていることで、ネジ収納部２０９の配設位置が、ケースカバー２０２やケース本体２０１の形状により制限されたり、あるいはケースカバー２０２やケース本体２０１の形状をネジ収納部２０９の配設位置に合わせて形成する必要がないので、基板収納ケース２００の設計が煩雑になることを回避できる。
【０１８７】
具体的は、例えばネジ収納部２０９に収納された予備用ワンウェイネジ２８１の頭部２８４からケースカバー２０２の裏面までの距離が、予備用ワンウェイネジ２８１の長さよりも大きい場合には、予備用ワンウェイネジ２８１がネジ収納部２０９から逸脱する虞がある。そこで、例えばケースカバー２０２におけるネジ収納部２０９に対応する箇所を該ネジ収納部２０９の挿入孔２０９ｃの上面開口に極力近接させようとすると、ケースカバー２０２全体の形状、あるいはネジ収納部２０９の配設位置を設計変更しなければならないが、ケースカバー２０２の裏面所定箇所からネジ規制用リブ２５３を延設することで、ケースカバー２０２全体の形状やネジ収納部２０９の配設位置を設計変更しないで済む。
【０１８８】
また、ネジ規制用リブ２５３は、３つの予備用ワンウェイネジ２８１の逸脱を規制できるように、上壁裏面２５４の長手方向にわたって延設されていることで、膨出部カバー２５０ａの強度が高まる。これにより、例えばケースカバー２０２を過って床等に落下させてしまった場合等において、膨出部カバー２５０ａが破壊されにくくなるので、その側方に設けられる第１被固着部２５５の保護作用が効果的に高まる。
【０１８９】
また、第２被固着部２１２及び第１被固着部２５５の前後側方に膨出部２０８ａ，２０８ｂが設けられることで、いずれか一側方のみに設けられている場合に比べて、これら第２被固着部２１２及び第１被固着部２５５がより効果的に保護される。
【０１９０】
また、膨出部２０８ａの膨出空間Ｓ２内に設けられたネジ収納部２０９は、複数本の予備用ワンウェイネジ２８１をまとめて収納可能であるため、各ネジ孔２１１ａ〜２１１ｄや各被固着部２５５ａ〜２５５ｄそれぞれの近傍に予備用ワンウェイネジ２８１を収納しておくよりも、ケース本体２０１の構造を簡素化することができるばかりか、予備用ワンウェイネジ２８１の管理が容易になる。
【０１９１】
また、ケース本体２０１の側壁２０３の一部に膨出部２０８ａが形成され、該膨出部２０８ａの側方に第２被固着部２１２が設けられることにより、過って基板収納ケース２００を床等に落下させた場合等においても、ネジ孔２１１ａ〜２１１ｄや被固着部２５５ａ〜２５５ｄが容易に破損することが防止されるとともに、膨出部２０８ａの内部に形成された膨出空間Ｓ２内に設けられたネジ収納部２０９に予備用ワンウェイネジ２８１を収納しておくことができるため、膨出部２０８ａを有効に利用することができるばかりか、遊技制御基板３１を内部に収納または取り出す際に予備用ワンウェイネジ２８１が邪魔になることがないように収納しておくことができる。
【０１９２】
つまり、膨出部２０８ａと第２被固着部２１２とが、ケース本体２０１における一側辺の長手方向に向けて直線状に配設されるとともに、特にネジ孔２１１ａ〜２１１ｄとネジ収納部２０９とが一側辺に沿うように配置されることで、ケース本体２０１外形に凹凸部が形成されることがないので、ケース本体２０１の構造を簡素化できるばかりか、保管や輸送時における収納性が向上する。
【０１９３】
また、ネジ収納部２０９は、ケース本体２０１の内部における基板収納空間Ｓ１から外側に張り出すように設けられた膨出空間Ｓ２内、すなわち、遊技制御基板３１の封止状態において遊技制御基板３１と上下方向に重合しない位置に配設されているとともに、遊技制御基板３１は、膨出空間Ｓ２内に張り出さないように設けられていることで、予備用ワンウェイネジ２８１の収納及び取り出しの際に遊技制御基板３１と干渉することがない。
【０１９４】
さらに、予備用ワンウェイネジ２８１は、ネジ収納部２０９の挿入孔２０９ｃの上面開口を介して内部に挿入される挿入部であるネジ部２８３と、該ネジ部２８３の一端に設けられる頭部２８４と、から構成され、ネジ収納部２０９は、予備用ワンウェイネジ２８１を収納した状態において、頭部２８４が挿入孔２０９ｃの上面開口の外部に突出した状態で保持されるように構成されていることで、予備用ワンウェイネジ２８１のネジ収納部２０９からの取り出しが容易になる。
【０１９５】
また、遊技制御基板３１は、複数の電子部品及び基板側コネクタ２３８ａ〜２３８ｃが実装される実装面３１ａと該実装面３１ａと反対側の裏面３１ｂとを有し、ケースカバー２０２は、コネクタ２３８ａ〜２３８ｃに対応する箇所に、該コネクタ２３８ａ〜２３８ｃの接続口２３８ｄをケース外部に開放するためのコネクタ用開口２３６ａ〜２３６ｃが形成されるとともに、遊技制御基板３１を取り付け可能に構成され、遊技制御基板３１は、実装面３１ａをケースカバー２０２により被覆し、かつ、裏面３１ｂをケース本体２０１に対向させた状態で基板収納ケース２００の内部に封止状態で収納されるため、基板収納ケース２００を開放しても、実装面３１ａがケースカバー２０２により覆われた状態で遊技制御基板３１が取り付けられていることで、ケースカバー２０２からの遊技制御基板３１の取り外しに時間がかかり、電子部品や基板側コネクタ２３８ａ〜２３８ｃ等に対する不正行為を行いにくくなる。
【実施例２】
【０１９６】
次に、本発明の実施例２としてのコネクタ規制部材５２０について、図１５〜図１７に基づいて説明する。図１５は、本発明の実施例２としてのコネクタ規制部材及びケースカバーを示す斜視図であり、図１６は、図１５のコネクタ規制部材が装着された基板収納ケースを示す平面図であり、図１７は、図１６のＤ−Ｄ断面図である。
【０１９７】
実施例１におけるコネクタ規制部材５００は、ケース本体２０１及びケースカバー２０２の封止状態においてケース内部に配置される下板５００ｃ及び間隙部５０５に配置される垂直板５００ｂにより基板収納ケース２００に保持されるようになっていたが、本実施例２のコネクタ規制部材５２０は、固定ネジ５２２によりケースカバー２０２に保持されるようになっている。
【０１９８】
以下、本実施例２のコネクタ規制部材５２０において、前記実施例１のコネクタ規制部材５００と相違する点を図面に基づいて説明する。尚、本実施例２において、実施例１のコネクタ規制部材５００と同様の構成部位及び基板収納ケースに関しては、同様の符号を付すことでここでの詳細な説明は省略することとする。
【０１９９】
コネクタ規制部材５２０は、透明な合成樹脂材からなる板部材にて形成されており、図１５に示されるように、低被覆面部２２０ａの上方を被覆可能な上板５２０ａと、該上板５２０ａの外端から下方に向けて延設される垂直板５２０ｂとにより側面視略Ｌ字形に形成されている。つまり、前記実施例１のコネクタ規制部材５００における下板５００ｃがない形状に形成されているとともに、垂直板５２０ｂの上下幅寸法は垂直板５００ｂの上下幅寸法よりも短寸に形成されている。
【０２００】
上板５２０ａには、配線挿通用開口５０３ａ〜５０３ｃ及び配線挿通用スリット５０４ａ〜５０４ｃが形成されている。垂直板５２０ｂには、固定ネジ５２２が取り付けられる複数の取り付け孔５２１が、ケースカバー２０２の長辺２０２ｄ端面における長手方向にわたり所定間隔おきに形成された複数（本実施例では３つ）のネジ孔５２３に対応する箇所に形成されている。
【０２０１】
このように形成されたコネクタ規制部材５２０は、前述したように配線挿通用開口５０３ａ〜５０３ｃに配線２９１ａ〜２９１ｃを挿通し、かつ、垂直板５２０ｂの外側から各取り付け孔５２１に固定ネジ５２２を取り付けた状態で、垂直板５２０ｂの内面下部を長辺２２０ｄ端面に当接させてケースカバー２０２の外側に配置し、固定ネジ５２２をネジ孔５２３に螺入することにより、ケースカバー２０２の外側に装着保持される。
【０２０２】
この状態において、コネクタ規制部材５２０は、ケースカバー２０２に対して離脱不能に保持されるため、配線側コネクタ２９０ａ〜２９０ｃの上方が上板５２０ａにより被覆され、かつ、基板側コネクタ２３８ａ〜２３８ｃからの抜脱が当接規制される。
【０２０３】
また、このようにコネクタ規制部材５２０が装着されたケースカバー２０２によりケース本体２０１の開口を閉鎖した状態（封止状態）においては、図１６及び図１７に示されるように、各取り付け孔５２１に螺入された固定ネジ５２２の頭部が、ケース本体２０１の側壁２０５により被覆されるため、ケース本体２０１及びケースカバー２０２の封止状態を解除するかケースの一部を破壊しない限り固定ネジ５２２を取り外すことができない状態となる。
【０２０４】
このように、本実施例２のコネクタ規制部材５２０にあっても、実施例１のコネクタ規制部材５００と同様の作用・効果を奏する。また、コネクタ規制部材５２０は、ケースカバー２０２に対して固定ネジ５２２により直接固定され、ケースカバー２０２に対して安定的に保持されるため、ケースカバー２０２に対するガタツキ等がコネクタの規制に支障をきたすこと等が防止される。
【０２０５】
また、封止状態において側壁２０５により保持部材としての固定ネジ５２２の頭部が被覆されることにより、固定ネジ５２２の取り付け孔５２３からの取り出しができなくなるため、固定ネジ５２２に前述したワンウェイネジ等の特殊な部材を用いなくても、取り付け孔５２３からの取り出しを困難とすることができる。
【０２０６】
また、図１７に示されるように、上板５２０ａの端面５２０ｃは、必ずしもケースカバー２０２に当接及び係止されていなくてもよく、例えば傾斜被覆面部２２０ｃに沿うように近接されていてもよい。
【実施例３】
【０２０７】
次に、本発明の実施例３としてのコネクタ規制部材５５０について、図１８及び図１９に基づいて説明する。図１８は、本発明の実施例３としてのコネクタ規制部材及びケースカバーを示す斜視図であり、図１９は、図１８のコネクタ規制部材が装着された基板収納ケースの要部を示す拡大縦断面図である。
【０２０８】
実施例１，２におけるコネクタ規制部材５００，５２０は、ケース本体２０１及びケースカバー２０２の封止状態において形成される間隙部５０５に、垂直板５００ｂ，５２０ｂが配置されるようになっていたが、本実施例３のコネクタ規制部材５５０は、垂直板５５０ｂの下端が低被覆面部２２０ａの上面に配置されるものである。
【０２０９】
以下、本実施例３のコネクタ規制部材５５０において、前記実施例１のコネクタ規制部材５００と相違する点を図面に基づいて説明する。尚、本実施例３において、実施例１のコネクタ規制部材５００と同様の構成部位及び基板収納ケースに関しては、同様の符号を付すことでここでの詳細な説明は省略することとする。
【０２１０】
コネクタ規制部材５５０は、透明な合成樹脂材からなる板部材にて形成されており、図１８に示されるように、低被覆面部２２０ａの上方を被覆可能な上板５５０ａと、該上板５５０ａの外端から下方に向けて延設される垂直板５５０ｂとにより側面視略Ｌ字形に形成されている。つまり、前記実施例２のコネクタ規制部材５２０とほぼ同形状に形成されているとともに、垂直板５５０ｂの下部が若干肉厚に形成されている。
【０２１１】
上板５５０ａには、配線挿通用開口５０３ａ〜５０３ｃ及び配線挿通用スリット５０４ａ〜５０４ｃが形成されている。垂直板５５０ｂの下端面には、固定ネジ５５２が螺入される複数のネジ孔５５１が、ケースカバー２０２の低被覆面部２０２ａの端縁側に凹設された凹条２２０ｅの長手方向にわたり所定間隔おきに形成された複数（本実施例では３つ）の取り付け孔２２０ｆに対応する箇所に形成されている。
【０２１２】
このように形成されたコネクタ規制部材５５０は、前述したように配線挿通用開口５０３ａ〜５０３ｃに配線２９１ａ〜２９１ｃを挿通し、かつ、ケースカバー２０２の裏面側から各取り付け孔２２０ｆに固定ネジ５５２を取り付けた状態で、垂直板５５０ｂの下端面を凹条２２０ｅの上面に当接させてケースカバー２０２の外側に配置し、固定ネジ５５２をネジ孔５５１に螺入することにより、ケースカバー２０２の外側に装着保持される。
【０２１３】
この状態において、コネクタ規制部材５５０は、ケースカバー２０２に対して離脱不能に保持されるため、配線側コネクタ２９０ａ〜２９０ｃの上方が上板５５０ａにより被覆され、かつ、基板側コネクタ２３８ａ〜２３８ｃからの抜脱が当接規制される。
【０２１４】
また、このようにコネクタ規制部材５５０が装着されたケースカバー２０２によりケース本体２０１の開口を閉鎖した状態（封止状態）においては、図１９に示されるように、各ネジ孔５５１に螺入された固定ネジ５５２の頭部がケース内部に配置され、ケース本体２０１及びケースカバー２０２により被覆されるため、ケース本体２０１及びケースカバー２０２の封止状態を解除するかケースの一部を破壊しない限り固定ネジ５５２を取り外すことができない状態となる。
【０２１５】
このように、本実施例３のコネクタ規制部材５５０にあっても、実施例１のコネクタ規制部材５００と同様の作用・効果を奏する。また、ケースカバー２０２に対して固定ネジ５５２により直接固定され、ケースカバー２０２に対して安定的に保持されるため、ケースカバー２０２に対するガタツキ等がコネクタの規制に支障をきたすこと等が防止される。
【０２１６】
また、封止状態において固定ネジ５５２の頭部がケース本体２０１及びケースカバー２０２により被覆されることにより、固定ネジ５５２のネジ孔５５１からの取り出しができなくなるため、固定ネジ５５２に前述したワンウェイネジ等の特殊な部材を用いなくても、ネジ孔５５１からの取り出しを困難とすることができる。
【０２１７】
以上、本発明の実施例を図面により説明してきたが、本発明はこの実施例に限定されるものではなく、本発明の主旨を逸脱しない範囲における変更や追加があっても本発明に含まれることは言うまでもない。
【０２１８】
例えば、前記実施例１〜３では、遊技制御基板３１の実装面３１ａに対して基板側コネクタ２３８ａ〜２３８ｃが垂直に、つまり、接続口２３８ｃを上向きに開口した状態で実装され、コネクタ用開口２３６ａ〜２３６ｃがケースカバー２０２の上板２２０に形成されていたが、接続口２３８ｃが側方に向けた状態で実装され、コネクタ用開口２３６ａ〜２３６ｃがケースカバー２０２の側面に形成されていてもよい。
【０２１９】
また、前記実施例１〜３では、ケースカバー２０２に形成された凹部２３４にコネクタ用開口２３６ａ〜２３６ｃが形成されていたが、必ずしも凹部２３４にコネクタ用開口２３６ａ〜２３６ｃを形成しなくてもよい。
【０２２０】
また、前記実施例１〜３のコネクタ規制部材５００，５２０，５５０は、複数の配線側コネクタ２９０ａ〜２９０ｃを当接規制及び被覆可能に構成されているが、各コネクタを個別に当接規制可能に装着できるようにしてもよい。
【０２２１】
また、前記実施例１〜３のコネクタ規制部材５００，５２０，５５０は、配線側コネクタ２９０ａ〜２９０ｃの本体上面に当接して抜脱を規制するようになっていたが、当接する部位は本体上面に限定されるものではなく、例えばコネクタの本体であれば、該本体の側面等であってもよい。
【０２２２】
また、前記実施例１の基板収納ケース２００では、封止状態において、ケース本体２０１の側壁２０５の内面とケースカバー２０２の長辺２２０ｄとの間に、該側壁２０５に沿うように間隙部５０５が直線状に延設されていたが、側壁２０５の一部または複数の間隙部５０５が所定間隔おきに形成されるようにしてもよい。さらに、これら間隙部５０５に変えて、コネクタ規制部材５００の一部である差込片部をケース内部に配置可能とする差込孔等を、ケースカバー２０２に形成してもよい。
【０２２３】
また、前記実施例１のコネクタ規制部材５００は、下板５００ｃが遊技制御基板３１の裏面３１ｂに当接することにより上方への移動が規制されるようになっていたが、封止状態においてケース内部に配置される下板５００ｃや垂直板５００ｂの一部を、ケース内部における遊技制御基板３１以外の所定箇所、例えばケース本体２０１の側壁２０５内面やケースカバー２０２の裏面等に当接されることにより上方への移動が規制されるようにしてもよい。
【０２２４】
また、前記実施例２，３では、コネクタ規制部材５２０，５５０をケースカバー２０２に保持するための保持部材として固定ネジが適用されていたが、ラッチ部材あるいはコネクタ規制部材に設けた弾性片等に係止爪を形成し、係止作用によりケースカバー２０２に保持するようにしてもよい。
【０２２５】
また、前記実施例１〜３では、ネジ収納部２０９からの予備用ワンウェイネジ２８１の逸脱を当接規制する規制部としてのネジ規制用リブ２５３は、封止状態においてケースカバー２０２におけるネジ収納部２０９の直上位置、すなわち収納口との対向面から下方に向けて延設されていたが、封止状態においてネジ収納部２０９からの予備用ワンウェイネジ２８１の逸脱を当接規制可能であれば、ネジ規制用リブ２５３の端部とケースカバー２０２の内面との連接位置は収納口との対向面に限定されるものではなく、対向面以外の箇所、例えば膨出部カバー２５０ａの内面側方から水平方向に延設されていてもよい。
【０２２６】
また、前記実施例１〜３では、ネジ規制用リブ２５３が、膨出部カバー２５０ａの内面における長手方向にわたって延びる板状に構成されていたが、各予備用ワンウェイネジ２８１をそれぞれ個別に当接規制可能な柱状部材にて構成されていてもよい。
【０２２７】
また、前記実施例１〜３では、ネジ収納部２０９が予備用ワンウェイネジ２８１のネジ部２８３を挿入可能な挿入孔２０９ｃにて形成され、収納時において頭部２８４が外部に突出するようになっていたが、予備用ワンウェイネジ２８１全体が収納されるように構成されていてもよい。
【０２２８】
また、前記実施例１〜３では、膨出部２０８ａは、平面視略長方形状に形成されていたが、形状は種々に変形可能であり、例えば半円形状等に形成されていてもよい。
【０２２９】
また、前記実施例１〜３では、膨出部カバー２５０ａは膨出部２０８ａの周壁内側に嵌まり込むように構成されていたが、周壁の外側に嵌まり込むようにしてもよい。
【０２３０】
また、前記実施例１〜３の基板収納ケースは、遊技機の一例であるパチンコ機１に設けられるものであったが、スロットマシン等の他の遊技機にも適用可能である。
【０２３１】
また、前記実施例１〜３では、基板収納ケースは遊技制御基板３１を内部に収納可能なケースとして説明してきたが、内部に収納する制御基板は上記遊技制御基板に限定されるものではなく、例えば賞球制御基板３７や表示制御基板８０等を収納するケースであってもよく、これらにもコネクタ規制部材を適用可能である。
【０２３２】
また、前記実施例１〜３では、主に基板収納ケースが開放されて遊技制御基板３１が不正な制御基板に交換されること等を防止するための構造を記載してきたが、例えば制御基板を含む基板収納ケースごと遊技機から取り外されて制御基板や基板収納ケースが交換されることを防止することを目的として、例えばケース本体２０１及びケースカバー２０２のうちの一方または双方の所定箇所に、製造番号や固有の識別番号（ＩＤ）等が記憶されたＩＣタグ等を設けておき、該ＩＣタグに記憶されている正規な製造番号や固有の識別番号（ＩＤ）等を所定の読み取り装置により適宜読み出して遊技店側等で確認できるようにすることで、制御基板を含む基板収納ケースそのものが不正に交換されることを防止するようにしてもよい。
【０２３３】
さらにこの場合、このようなＩＣタグを、例えばケース本体２０１とケースカバー２０２とを跨ぐように貼着され、ケースカバーを開放したときには破断して再封印することができない脆性体からなるいわゆる封印シールに一体的に設けたり、あるいは該封印シールによりケース本体やケースカバーに貼着することが好ましい。このようにすれば、ＩＣタグ自体が不正なＩＣタグに交換されたり、紛失していることを読み取り装置により判定できるため、早期のうちに対処できる。また、製造番号や固有の識別番号（ＩＤ）等をこのような封印シールに視認可能に印刷してもよい。
【図面の簡単な説明】
【０２３４】
【図１】本発明が適用されたパチンコ機を示す正面図である。
【図２】図１のパチンコ機を示す背面図である。
【図３】本実施例のパチンコ機１に設けられた各種基板と各種電気部品との接続状況並びに遊技制御基板３１における回路構成の一例を示すブロック図である。
【図４】基板収納ケースを示す分解斜視図である。
【図５】（ａ）は図４の要部拡大斜視図であり、（ｂ）は（ａ）のケース本体の要部を示す平面図である。
【図６】基板収納ケース及び遊技制御基板の組み付け状態を示す分解斜視図である。
【図７】ケースカバーに対する遊技制御基板の取り付け状態を示す斜視図である。
【図８】配線側コネクタの接続状況を示す斜視図である。
【図９】コネクタ規制部材の取り付け状況を示す斜視図である。
【図１０】ケース本体とケースカバーとを閉鎖した状態を示す縦断面図である。
【図１１】基板収納ケースの封止状態を示す斜視図である。
【図１２】図１１のＡ−Ａ断面図である。
【図１３】基板収納ケースを示す一部破断側面図である。
【図１４】（ａ）は図１３のＢ−Ｂ断面図であり、（ｂ）は図１３のＣ−Ｃ断面図である。
【図１５】本発明の実施例２としてのコネクタ規制部材及びケースカバーを示す斜視図である。
【図１６】図１５のコネクタ規制部材が装着された基板収納ケースを示す平面図である。
【図１７】図１６のＤ−Ｄ断面図である。
【図１８】本発明の実施例３としてのコネクタ規制部材及びケースカバーを示す斜視図である。
【図１９】図１８のコネクタ規制部材が装着された基板収納ケースの要部を示す拡大縦断面図である。
【符号の説明】
【０２３５】
２００              基板収納ケース
２０１              ケース本体
２０２              ケースカバー
２０８ａ，２０８ｂ  膨出部
２０９              ネジ収納部
２１２              第２被固着部
２３６ａ〜２３６ｃ  コネクタ用開口
２３８ａ〜２３８ｃ  基板側コネクタ
２５３              ネジ規制用リブ
２５５ａ〜２５５ｄ  第１被固着部
２８０              ワンウェイネジ
２９０ａ〜２９０ｃ  配線側コネクタ
２９１ａ〜２９１ｃ  配線
５００，５２０，５５０  コネクタ規制部材
５０３ａ〜５０３ｃ  配線挿通用開口
５０４ａ〜５０４ｃ  配線挿通用スリット
【図１】
2008154827.tif 000003
【図２】
2008154827.tif 000004
【図３】
2008154827.tif 000005
【図４】
2008154827.tif 000006
【図５】
2008154827.tif 000007
【図６】
2008154827.tif 000008
【図７】
2008154827.tif 000009
【図８】
2008154827.tif 000010
【図９】
2008154827.tif 000011
【図１０】
2008154827.tif 000012
【図１１】
2008154827.tif 000013
【図１２】
2008154827.tif 000014
【図１３】
2008154827.tif 000015
【図１４】
2008154827.tif 000016
【図１５】
2008154827.tif 000017
【図１６】
2008154827.tif 000018
【図１７】
2008154827.tif 000019
【図１８】
2008154827.tif 000020
【図１９】
2008154827.tif 000021